(57)【要約】【課題】  ＭＢＭＳ専用セルにおいて移動端末がＭＢＭＳを受信するまでに実行する処理のひとつであるＭＢＭＳセルサーチ方法を確立する。【解決手段】  個別通信データを送受信可能なセルであるユニキャストセル、放送型データの受信ができるＭＢＭＳ専用セル、ユニキャストセルとＭＢＭＳ専用セルの双方のサービスを提供できるユニキャスト／ＭＢＭＳ混合セルの３種類のセルを備えた移動体通信システムにおいて、ＭＢＭＳ専用セル及びユニキャスト／ＭＢＭＳ混合セルは、複数の基地局が同期して放送型データの送信を行うＭＢＳＦＮ同期エリアを構成しており、移動端末は、複数のＭＢＭＳ専用セルまたはユニキャスト／ＭＢＭＳ混合セルより送信された、ＭＢＳＦＮ同期エリアにおいて放送型データの受信を行うための同期情報を受信し、ＭＢＭＳ専用セルないしユニキャスト／ＭＢＭＳ混合セルをサーチする。【選択図】  図１
2009188612.tif 000002
【特許請求の範囲】
【請求項１】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び前記移動端末に対して一対一型の個別通信データを送信可能な移動体通信システムにおいて、
前記移動体通信システムは、移動端末が前記個別通信データを送受信可能なセルであるユニキャストセル、前記移動端末が前記放送型データの受信はできるが、前記個別通信データの送受信はできないＭＢＭＳ専用セル、前記ユニキャストセルと前記ＭＢＭＳ専用セルの双方のサービスを提供できるユニキャスト／ＭＢＭＳ混合セルの３種類のセルを備え、前記ＭＢＭＳ専用セル及び前記ユニキャスト／ＭＢＭＳ混合セルは、複数の基地局が同期して前記放送型データの送信を行うＭＢＳＦＮ（Multimedia Broadcast multicast service Single Frequency Network）同期エリアを構成しており、
前記移動端末は、複数の前記ＭＢＭＳ専用セルまたは前記ユニキャスト／ＭＢＭＳ混合セルより一斉に送信された、前記ＭＢＳＦＮ同期エリアにおいて前記放送型データの受信を行うための同期情報を受信するとともに、受信するＭＢＭＳ専用セルないしユニキャスト／ＭＢＭＳ混合セルをサーチすることを特徴とする移動体通信システム。
【請求項２】
ユニキャスト／ＭＢＭＳ混合セルは、下り同期チャネルを用いて、移動端末に対して同期情報を送信することを特徴とする請求項１に記載の移動体通信システム。
【請求項３】
ＭＢＭＳ専用セルは、物理マルチキャストチャネルを用いて、移動端末に対して同期情報を送信することを特徴とする請求項１に記載の移動体通信システム。
【請求項４】
ＭＢＭＳ専用セルは、移動端末に対するＭＢＭＳデータの送信を所定時間停止することにより、前記移動端末が前記ＭＢＭＳデータの受信を行わない受信停止期間を設け、前記移動端末は、この受信停止期間においてユニキャストセルないしユニキャスト／ＭＢＭＳ混合セルの測定処理を行うことを特徴とする請求項１から請求項３のいずれか一項に記載の移動体通信システム。
【請求項５】
受信停止期間は、移動端末がユニキャストセルないしユニキャスト／ＭＢＭＳ混合セルの測定処理を行う測定周期の最小値、ないしこの最小値の約数とすることを特徴とする請求項４に記載の移動体通信システム。
【発明の詳細な説明】
【技術分野】
【０００１】
本発明は、基地局が複数の移動端末と無線通信を実施する移動体通信システムに関するものであり、特に放送型マルチメディアサービス（MBMS: Multimedia Broadcast Multicast Service）を移動端末に提供可能な移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についても規格化されている。Ｗ−ＣＤＭＡは、移動体通信システムの規格化団体である３ＧＰＰ（3rd Generation Partnership Project）により定められた通信方式であり、リリース７版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワークを含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW: Access Gatewayと称されることもある)と称される。このＬＴＥの通信システムでは、yユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。Ｓ−ＧＷ１０４はひとつまたは複数の基地局１０２とユーザデータの送受信を行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。フレーム毎に１番目（＃０）と６番目（＃５）のサブフレームに下り同期チャネル（Downlink Synchronization Channel: SCH）が含まれる。同期信号には第一同期チャネル（Primary Synchronization Channel: P-SCH）と第二同期チャネル（Secondary Synchronization Channel: S-SCH）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）がマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１０】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１１】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１２】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。ＣＣＣＨを下りに設けるかは現時点で決まっていない。上り方向では、ＣＣＣＨはトランスポートチャネルである上り共有チャネル(UL-SCH)へマッピングされる。
【００１３】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１４】
３ＧＰＰでの、Ｅ−ＭＢＭＳサービスに関する現在の決定事項が、非特許文献１に記載されている。Ｅ−ＭＢＭＳに関する言葉の定義（非特許文献１  １５章）について、図７を用いて説明する。図７は、ＭＢＳＦＮ同期エリアとＭＢＳＦＮエリアとの関係を説明する説明図である。図７において、ＭＢＳＦＮ同期エリア７０１（Multimedia Broadcast multicast service Single Frequency Network Synchronization Area）とは、すべての基地局が同期し、ＭＢＳＦＮ（Multimedia Broadcast Multicast service Single Frequency Network）送信を実行することができるネットワークの領域のことである。ＭＢＳＦＮ同期エリアは１つ以上のＭＢＳＦＮエリア（MBSFN Areas）７０２を含む。１つの周波数レイヤ（frequency layer）では、基地局は１つのＭＢＳＦＮ同期エリアにしか属すことができない。ＭＢＳＦＮエリア７０２（MBSFN Area）は、ネットワークのＭＢＳＦＮ同期エリアに含まれる基地局（セル）のグループから構成される。ＭＢＳＦＮ同期エリア中の基地局（セル）は複数のＭＢＳＦＮエリアを構成することもある。
【００１５】
Ｅ−ＭＢＭＳの論理構造（Logical Architecture）について（非特許文献１  １５章）図８を用いて説明する。図８は、Ｅ−ＭＢＭＳの論理構造（Logical Architecture）を説明する説明図である。図８において、マルチセル／マルチキャスト調整エンティティ８０１（Multi-cell/multicast Coordination Entity: MCE）とは論理エンティティである。ＭＣＥ８０１は、マルチセルＭＢＭＳ送信（multi-cell MBMS transmission）を行うため、ＭＢＳＦＮエリア中の全ての基地局に対する無線リソースの割り当てを行う。ＭＣＥ８０１は時間あるいは／かつ周波数の無線リソースの割り当て以外に、無線構造の詳細（例えば、変調方式、コードなど）についての決定を行う。Ｅ−ＭＢＭＳゲートウェイ８０２（MBMS GW）とは論理エンティティである。Ｅ−ＭＢＭＳゲートウェイ８０２はｅＢＭＳＣと基地局間に位置し、主要な機能は、サービスを各基地局へＳＹＮＣプロトコルにてＭＢＭＳサービスを送信／放送することである。Ｍ３インタフェースとは、ＭＣＥ８０１とＥ−ＭＢＭＳゲートウェイ８０２間の制御インタフェース（Control Plane Interface）である。Ｍ２インタフェースとは、ＭＣＥ８０１とｅＮＢ１０２間の制御インタフェースである。Ｍ１インタフェースとは、Ｅ−ＭＢＭＳゲートウェイ８０２とｅＮＢ１０２間のユーザデータインタフェース（User Plane Interface）である。
【００１６】
Ｅ−ＭＢＭＳのアーキテクチャ（Architecture）について（非特許文献１  １５章）説明する。図９は、Ｅ−ＭＢＭＳのアーキテクチャ（Architecture）を説明する説明図である。Ｅ−ＭＢＭＳのアーキテクチャについては、図９Ａ、Ｂに示すように２つが考えられている。ＭＢＭＳのセルについて（非特許文献１  １５）説明する。ＬＴＥシステムでは、ＭＢＭＳ専用セル（基地局）（MBMS-dedicated cell）とＭＢＭＳとユニキャストの両方のサービスを実行できるＭＢＭＳ／ユニキャスト混合セル(MBMS/ Unicast -mixed cell)がある。ＭＢＭＳ専用セルについて説明する。ＭＢＭＳ専用セルがＭＢＭＳ送信専用の周波数レイヤに属する場合の特徴を以下に述べる。以降にて、ＭＢＭＳ送信専用の周波数レイヤは、ＭＢＭＳ専用セルの周波数レイヤとも称する。ともに下り論理チャネルであるＭＴＣＨ（マルチキャストトラヒックチャネル）とＭＣＣＨ（マルチキャスト制御チャネル）は、１対多送信にて下りトランスポートチャネルであるＭＣＨ（マルチキャストチャネル）あるいはＤＬ−ＳＣＨ（下り共有チャネル）にマッピングされる。ＭＢＭＳ専用セルにおいて上りリンクは存在しない。また、ＭＢＭＳ専用セル内でユニキャストデータの送受信はできない。また、カウンティングメカニズムも設定されない。ＭＢＭＳ送信専用の周波数レイヤでページング信号（Paging messages）を設けるかは未定である。
【００１７】
次にＭＢＭＳ／ユニキャスト混合セルについて説明する。ＭＢＭＳ／ユニキャスト混合セルがＭＢＭＳ送信専用の周波数レイヤに属さない場合の特徴を以下に述べる。ＭＢＭＳ送信専用の周波数レイヤ以外の周波数レイヤを「ユニキャスト／ミクスド周波数レイヤ」と称する。ともに下り論理チャネルであるＭＴＣＨとＭＣＣＨは、１対多送信にて下り論理チャネルであるＭＣＨあるいはＤＬ−ＳＣＨにマッピングされる。ＭＢＭＳ／ユニキャスト混合セルではユニキャストデータとＭＢＭＳデータの両方の送信が可能である。
【００１８】
ＭＢＭＳ送信について（非特許文献１  １５章）説明する。ＬＴＥシステムでのＭＢＭＳ送信は、シングルセル送信（Single-cell transmission: SC送信）とマルチセル送信（multi-cell transmission: MC送信）をサポートする。シングルセル送信ではＳＦＮ（Single frequency Network）オペレーションをサポートしない。また、マルチセル送信ではＳＦＮオペレーションをサポートする。ＭＢＳＦＮ(Multimedia Broadcast multicast service Single Frequency Network)エリアにてＭＢＭＳの送信は同期している。マルチセル送信におけるＭＢＭＳサービス（MTCHとMCCH）のＳＦＮ合成（Combining）がサポートされる。ＭＴＣＨとＭＣＣＨは１対多送信にてＭＣＨにマッピングされる。スケジューリングはＭＣＥによって行われる。
【００１９】
マルチキャスト制御チャネル(MCCH)構造（Structure）について（非特許文献  １５章）説明する。下り論理チャネルである報知制御チャネル(BCCH)は１つあるいは２つのプライマリマルチキャスト制御チャネル（Primary MCCH:P-MCCH）のスケジューリングを示す。シングルセル送信用のＰ−ＭＣＣＨはＤＬ−ＳＣＨ（下り共有チャネル）にマッピングされる。また、マルチセル送信用のＰ−ＭＣＣＨはＭＣＨ（マルチキャストチャネル）にマッピングされる。ＭＣＨ上にセカンダリマルチキャスト制御チャネル（Secondary MCCH:S-MCCH）がマッピングされた場合、プライマリマルチキャスト制御チャネル（P-MCCH）を用いてセカンダリマルチキャスト制御チャネル（S-MCCH）のアドレスを示すことができる。報知制御チャネル（BCCH）はプライマリマルチキャスト制御チャネル（P-MCCH）のリソースを示すが、入手可能なサービスを示すことはない。
【００２０】
３ＧＰＰでの、ページングに関する現在の決定事項が、非特許文献１（10章）に記載されている。ページンググループは、Ｌ１／Ｌ２シグナリングチャネル（PDCCH）を用いる。移動端末の明確な識別子（UE-ID）はページングチャネル(PCH)上で確認することが出来る。
【００２１】
【非特許文献１】３ＧＰＰ  ＴＳ３６．３００  Ｖ８．２．０
【００２２】
【非特許文献２】３ＧＰＰ  Ｒ１−０７２９６３
【００２３】
【非特許文献３】３ＧＰＰ  Ｒ１−０８００７３
【００２４】
【非特許文献４】３ＧＰＰ  Ｒ２−０８０４６３
【発明の開示】
【発明が解決しようとする課題】
【００２５】
発明が解決しようとする第一の課題について説明する。非特許文献１において、ＭＢＭＳ送信専用の周波数レイヤの存在、及びＭＢＭＳ専用セルの存在や特徴については開示されている。一方、移動端末がＭＢＭＳ送信専用の周波数レイヤに移動する方法や、所望のサービスを選択するまでの方法などの開示はない。さらには、ＭＢＭＳ送信専用の周波数レイヤにおいて、複数のＭＢＳＦＮエリアの存在が議論されているが、ＭＢＳＦＮエリアの多重方法の開示はない。本発明では、ＭＢＳＦＮエリアの多重方法について開示することを目的とする。さらには、多重方法に沿った、ＭＢＭＳ送信専用の周波数レイヤにて所望のサービスを選択するまでの方法、及びそのための移動体通信システムについて開示することを目的とする。
【００２６】
次に、発明が解決しようとする第二の課題について説明する。ＭＢＭＳ専用基地局では上りリンクが存在しない。移動端末が移動し、下りリンク（下り信号、下り電波）を受信可能な基地局が変わった場合、または／かつ受信可能な下りリンク中の最良（受信電力が最大など）の基地局（セル）が変わった場合であっても移動端末からＭＢＭＳ専用基地局に対しては通知する手段はない。よってＭＢＭＳ専用基地局で構成されたＭＢＭＳ送信専用の周波数レイヤにおいては、現在の移動体通信システムの構成及び通信方法では、移動端末のモビリティ管理が不可能であるという問題が生じる。本発明では、ＭＢＭＳ専用基地局で構成されたＭＢＭＳ送信専用の周波数レイヤにおいても、移動端末のモビリティ管理が可能となる通信方法、及びそのための移動体通信システムについて開示することを目的とする。
【００２７】
次に、発明が解決しようとする第三の課題について説明する。ユニキャスト／ミクスド周波数レイヤにおいて移動端末は、一定周期にて測定（measurement）を行う必要がある。周期は上位レイヤより指示される。メジャメントは、移動端末が移動し下りリンク（下り信号、下り電波）を受信可能な基地局が変わったこと、受信可能な下りリンク中の最良（受信電力が最大など）の基地局（セル）が変わったことなどを移動端末が認識するためにも必要な動作である。そのため、移動端末がメジャメントを行わなければ、移動体通信システムとしてモビリティ（Mobility）管理が不可能となる。一方、ＭＢＭＳ送信専用の周波数レイヤにてＭＢＳＦＮ同期エリア(MBSFN Synchronization Area)を構成している基地局と，ユニキャスト／ミクスド周波数レイヤを構成している基地局とは非同期である。よって現在の移動体通信システムの構成及び通信方法では、ＭＢＭＳ送信専用の周波数レイヤにてＭＢＭＳサービスを受信中の移動端末がユニキャスト／ミクスド周波数レイヤのメジャメントを行うために、ＭＢＭＳ受信が中断してしまうという課題が発生する。本発明では、ＭＢＭＳ送信専用の周波数レイヤにてＭＢＭＳサービスを受信中の移動端末が、ＭＢＭＳサービスの受信を中断することなくユニキャスト／ミクスド周波数レイヤのメジャメントを行うことが可能となる通信方法、及びそのための移動体通信システムについて開示することを目的とする。
【課題を解決するための手段】
【００２８】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び移動端末に対して一対一型の個別通信データを送信可能な移動体通信システムにおいて、移動体通信システムは、移動端末が個別通信データを送受信可能なセルであるユニキャストセル、移動端末が前記放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セル及びユニキャスト／ＭＢＭＳ混合セルは、複数の基地局が同期して放送型データの送信を行うＭＢＳＦＮ（Multimedia Broadcast multicast service Single Frequency Network）同期エリアを構成しており、移動端末は、複数のＭＢＭＳ専用セルまたはユニキャスト／ＭＢＭＳ混合セルより一斉に送信された、ＭＢＳＦＮ同期エリアにおいて放送型データの受信を行うための同期情報を受信するとともに、受信するＭＢＭＳ専用セルないしユニキャスト／ＭＢＭＳ混合セルをサーチするものである。
【発明の効果】
【００２９】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び移動端末に対して一対一型の個別通信データを送信可能な移動体通信システムにおいて、移動体通信システムは、移動端末が個別通信データを送受信可能なセルであるユニキャストセル、移動端末が前記放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セル及びユニキャスト／ＭＢＭＳ混合セルは、複数の基地局が同期して放送型データの送信を行うＭＢＳＦＮ（Multimedia Broadcast multicast service Single Frequency Network）同期エリアを構成しており、移動端末は、複数のＭＢＭＳ専用セルまたはユニキャスト／ＭＢＭＳ混合セルより一斉に送信された、ＭＢＳＦＮ同期エリアにおいて放送型データの受信を行うための同期情報を受信するとともに、受信するＭＢＭＳ専用セルないしユニキャスト／ＭＢＭＳ混合セルをサーチするので、ＭＢＭＳ専用セルにおける移動端末が所望のサービスを選択するまでの方法を開示することができる。
【発明を実施するための最良の形態】
【００３０】
実施の形態１．
図１０は、本発明に係る移動体通信システムの全体的な構成を示すブロック図である。図１０において、移動端末１０１は基地局１０２と制御データ（C-plane）、ユーザデータ（U-plane）の送受信を行う。基地局１０２は、ユニキャストの送受信のみ扱うユニキャストセル１０２−１、ユニキャストとＭＢＭＳサービス（ＭＴＣＨとＭＣＣＨ）の送受信を扱う混合セル１０２―２、ＭＢＭＳサービスの送受信のみを扱うＭＢＭＳ専用セル１０１−３に分類される。ユニキャストの送受信を扱うユニキャストセル１０２−１とＭＢＭＳ／ユニキャスト混合セル（混合セル、ミクスドセル）１０２−２は、ＭＭＥ１０３とインタフェースＳ１＿ＭＭＥにより接続される。更にユニキャストの送受信を扱うユニキャストセル１０２−１と混合セル１０２−２は、ユニキャストのユーザデータの送受信のためにＳ−ＧＷ１０４とインタフェースＳ１＿Ｕにより接続される。ＭＭＥ１０３はインタフェースＳ１１によりＰＤＮＧＷ（Packet Data Network Gateway）９０２と接続される。ＭＣＥ８０１は、マルチセル（MC）送信を行うため、ＭＢＳＦＮエリア中の全ての基地局１０２に対して無線リソースの割り当てを行う。例えば１つあるいは複数のＭＢＭＳ／ユニキャスト混合セル１０２−２にて構成されるＭＢＳＦＮエリア＃１と１つあるいは複数のＭＢＭＳ専用セル１０１−３にて構成されるＭＢＳＦＮエリア＃２が存在した場合を考える。ＭＢＭＳ／ユニキャスト混合セル１０２−２はＭＢＳＦＮエリア＃１中の全ての基地局のための無線リソースを割り当てるＭＣＥ８０１―１とインタフェースＭ２で接続される。またＭＢＭＳ専用セル１０２―３はＭＢＳＦＮエリア＃２中の全ての基地局のための無線リソースを割り当てるＭＣＥ８０１―２とインタフェースＭ２で接続される。
【００３１】
ＭＢＭＳ  ＧＷ８０２は制御データを取り扱うＭＢＭＳ  ＣＰ８０２―１とユーザデータを取り扱うＭＢＭＳ  ＵＰ８０２―２に分類できる。ＭＢＭＳ／ユニキャスト混合セル１０２―２及びＭＢＭＳ専用セル１０２―３は、ＭＢＭＳ関連の制御データの送受信のためにインタフェースＭ１にてＭＢＭＳ  ＣＰ８０２―１と接続される。また、ＭＢＭＳ／ユニキャスト混合セル１０２―２及びＭＢＭＳ専用セル１０２―３は、ＭＢＭＳ関連のユーザデータの送受信のためにインタフェースＭ１＿ＵにてＭＢＭＳ  ＵＰ８０２―２と接続される。ＭＣＥ８０１はＭＢＭＳ関連の制御データの送受信のためにインタフェースＭ３にてＭＢＭＳ  ＣＰ８０２―１と接続される。ＭＢＭＳ  ＵＰ８０２―２はインタフェースＳＧｉｍｂにてｅＢＭＳＣ９０１と接続される。ＭＢＭＳ  ＧＷ８０２はインタフェースＳＧｍｂにてｅＢＭＳＣ９０１と接続される。ｅＢＭＳＣ９０１はコンテンツプロバイダと接続される。また、ｅＢＭＳＣ９０１はインタフェースＳＧｉにてＰＤＮＧＷ９０２と接続される。ＭＣＥ８０１は新たなインタフェースであるＭＭＥ―ＭＣＥ間インターフェース（ＩＦ）にてＭＭＥ１０３と接続される。
【００３２】
図１１は、本発明で用いる移動端末１０１の構成を示すブロック図である。図１１において、移動端末１０１の送信処理は以下のとおり実行される。まず、プロトコル処理部１１０１からの制御データ、アプリケーション部１１０２からのユーザデータが送信データバッファ部１１０３へ保存される。送信データバッファ部１１０３に保存されたデータはエンコーダー部１１０４へ渡され、誤り訂正などのエンコード処理が施される。エンコード処理を施さずに送信データバッファ部１１０３から変調部１１０５へ直接出力されるデータが存在しても良い。エンコーダー部１１０４でエンコード処理されたデータは変調部１１０５にて変調処理が行われる。変調されたデータはベースバンド信号に変換された後、周波数変換部１１０６へ出力され、無線送信周波数に変換される。その後、アンテナ１１０７から基地局１０２に送信信号が送信される。また、移動端末１０１の受信処理は以下のとおり実行される。基地局１０２からの無線信号がアンテナ１１０７により受信される。受信信号は、周波数変換部１１０６にて無線受信周波数からベースバンド信号に変換され、復調部１１０８において復調処理が行われる。復調後のデータはデコーダー部１１０９へ渡され、誤り訂正などのデコード処理が行われる。デコードされたデータのうち、制御データはプロトコル処理部１１０１へ渡され、ユーザデータはアプリケーション部１１０２へ渡される。移動端末の一連の処理は制御部１１１０によって制御される。よって制御部１１１０は、図面では省略しているが、各部（１１０１〜１１０９）と接続している。
【００３３】
図１２は、基地局１０２の構成を示すブロック図である。基地局１０２の送信処理は以下のとおり実行される。ＥＰＣ通信部１２０１は、基地局１０２とＥＰＣ（MME103及びS-GW104）間のデータの送受信を行う。他基地局通信部１２０２は、他の基地局との間のデータの送受信を行う。ＥＰＣ通信部１２０１、他基地局通信部１２０２はそれぞれプロトコル処理部１２０３と情報の受け渡しを行う。プロトコル処理部１２０３からの制御データ、またＥＰＣ通信部１２０１と他基地局通信部１２０２からのユーザデータ及び制御データが送信データバッファ部１２０４へ保存される。送信データバッファ部１２０４に保存されたデータはエンコーダー部１２０５へ渡され、誤り訂正などのエンコード処理が施される。エンコード処理を施さずに送信データバッファ部１２０４から変調部１２０６へ直接出力されるデータが存在しても良い。エンコードされたデータは変調部１２０６にて変調処理が行われる。変調されたデータはベースバンド信号に変換された後、周波数変換部１２０７へ出力され、無線送信周波数に変換される。その後、アンテナ１２０８より一つもしくは複数の移動端末１０１に対して送信信号が送信される。また、基地局１０２の受信処理は以下のとおり実行される。ひとつもしくは複数の移動端末１０１からの無線信号がアンテナ１２０８により受信される。受信信号は周波数変換部１２０７にて無線受信周波数からベースバンド信号に変換され、復調部１２０９で復調処理が行われる。復調されたデータはデコーダー部１２１０へ渡され、誤り訂正などのデコード処理が行われる。デコードされたデータのうち、制御データはプロトコル処理部１２０３あるいはＥＰＣ通信部１２０１、他基地局通信部１２０２へ渡され、ユーザデータはＥＰＣ通信部１２０１、他基地局通信部１２０２へ渡される。基地局１０２の一連の処理は制御部１２１１によって制御される。よって制御部１２１１は図面では省略しているが各部（1201〜1210）と接続している。
【００３４】
図１３は、ＭＭＥ(Mobility Management Entity)の構成を示すブロック図である。ＰＤＮ  ＧＷ通信部１３０１はＭＭＥ１０３とＰＤＮ  ＧＷ９０２間のデータの送受信を行う。基地局通信部１３０２はＭＭＥ１０３と基地局１０２間をＳ１＿ＭＭＥインタフェースによるデータの送受信を行う。ＰＤＮ  ＧＷ９０２から受信したデータがユーザデータであった場合、ユーザデータはＰＤＮ  ＧＷ通信部１３０１からユーザプレイン処理部１３０３経由で基地局通信部１３０２に渡され、１つあるいは複数の基地局１０２へ送信される。基地局１０２から受信したデータがユーザデータであった場合、ユーザデータは基地局通信部１３０２からユーザプレイン処理部１３０３経由でＰＤＮ  ＧＷ通信部１３０１に渡され、ＰＤＮ  ＧＷ９０２へ送信される。ＭＣＥ通信部１３０４はＭＭＥ１０３とＭＣＥ８０１間をＭＭＥ―ＭＣＥ間ＩＦによるデータの送受信を行う。
【００３５】
ＰＤＮ  ＧＷ９０２から受信したデータが制御データであった場合、制御データはＰＤＮ  ＧＷ通信部１３０１から制御プレイン制御部１３０５へ渡される。基地局１０２から受信したデータが制御データであった場合、制御データは基地局通信部１３０２から制御プレイン制御部１３０５へ渡される。ＭＣＥ８０１から受信した制御データはＭＣＥ通信部１３０４から制御プレイン制御部１３０５へ渡される。制御プレイン制御部１３０５での処理の結果は、ＰＤＮ  ＧＷ通信部１３０１経由でＰＤＮ  ＧＷ９０２へ送信され、また基地局通信部１３０２経由でＳ１＿ＭＭＥインタフェースにより１つあるいは複数の基地局１０２へ送信され、またＭＣＥ通信部１３０４経由でＭＭＥ―ＭＣＥ間ＩＦにより１つあるいは複数のＭＣＥ８０１へ送信される。制御プレイン制御部１３０５には、ＮＡＳセキュリティ部１３０５−１、ＳＡＥベアラコントロール部１３０５−２、アイドルステート（Idle State）モビリティ管理部１３０５―３などが含まれ、制御プレインに対する処理全般を行う。ＮＡＳセキュリティ部１３０５―１はＮＡＳ（Non-Access Stratum）メッセージのセキュリティなどを行う。ＳＡＥベアラコントロール部１３０５―２はＳＡＥ（System Architecture Evolution）のベアラの管理などを行う。アイドルステートモビリティ管理部１３０５―３は、待受け（LTE‐IDLE状態、単にアイドルとも称される）状態のモビリティ管理、待受け状態時のページング信号の生成及び制御、傘下の１つあるいは複数の移動端末１０１のトラッキングエリア（TA）の追加、削除、更新、検索、トラッキングエリアリスト（TA List）管理などを行う。ＭＭＥはＵＥが登録されている（registered）追跡領域（トラッキングエリア:tracking Area:TA）に属するセルへページングメッセージを送信することで、ページングプロトコルに着手する。ＭＭＥ１０３の一連の処理は制御部１３０６によって制御される。よって制御部１３０６は図面では省略しているが各部（1301〜1305）と接続している。
【００３６】
図１４は、ＭＣＥ（Multi-cell/multicast Coordination Entity）の構成を示すブロック図である。ＭＢＭＳ  ＧＷ通信部１４０１はＭＣＥ８０１とＭＢＭＳ  ＧＷ８０２間をＭ３インタフェースによる制御データの送受信を行う。基地局通信部１４０２はＭＣＥ８０１と基地局１０２間をＭ２インタフェースによる制御データの送受信を行う。ＭＭＥ通信部１４０３はＭＣＥ８０１とＭＭＥ１０３間をＭＭＥ―ＭＣＥ間ＩＦによる制御データの送受信を行う。ＭＣ送信スケジューラ部１４０４は、ＭＢＭＳ  ＧＷ通信部１４０１経由で渡されたＭＢＭＳ  ＧＷ８０２からの制御データと、基地局通信部１４０２経由で渡されたＭＢＳＦＮ（Multimedia Broadcast multicast service Single Frequency Network）エリア内の基地局１０２からの制御データと、ＭＭＥ通信部１４０３経由で渡されたＭＭＥ１０３からの制御データを用いて、自分が管理している１つあるいは複数のＭＢＳＦＮエリアのマルチセル送信のスケジューリングを行う。スケジューリングの一例としては基地局の無線リソース（時間、周波数など）、無線構造（変調方式、コードなど）などが挙げられる。マルチセル送信のスケジューリング結果は、基地局通信部１４０２に渡され、ＭＢＳＦＮエリア内の１つあるいは複数の基地局１０２へ送信される。ＭＣＥ８０１の一連の処理は制御部１４０５によって制御される。よって制御部１４０５は図面では省略しているが各部（１４０１〜１４０４）と接続している。
【００３７】
図１５はＭＢＭＳゲートウェイの構成を示すブロック図である。図１５において、ＭＢＭＳ  ＧＷ８０２のｅＢＭＳＣ通信部１５０１は、ＭＢＭＳ  ＧＷ８０２とｅＢＭＳＣ９０１間のデータ（ユーザデータ、制御データ）の送受信を行う。ＭＣＥ通信部１５０２はＭＢＭＳ  ＧＷ８０２とＭＣＥ８０１間をＭ３インタフェースによる制御データの送受信を行う。ｅＢＭＳＣ９０１から受信した制御データは、ｅＢＭＳＣ通信部１５０１経由で、ＭＢＭＳ  ＣＰ部１５０３に渡り、ＭＢＭＳ  ＣＰ部１５０３での処理後、ＭＣＥ通信部１５０２経由で、１つあるいは複数のＭＣＥ８０１へ送信される。ＭＣＥ８０１から受信した制御データは、ＭＣＥ通信部１５０２経由で、ＭＢＭＳ  ＣＰ部１５０３に渡り、ＭＢＭＳ  ＣＰ部１５０３での処理後、ｅＢＭＳＣ通信部１５０１経由で、ｅＢＭＳＣ９０１または／かつＭＣＥ８０１へ送信される。基地局通信部１５０４はＭＢＭＳ  ＧＷ８０２と１つあるいは複数の基地局へＭ１＿Ｕインタフェースによるユーザデータ（トラヒックデータとも称される）の送信を行う。ｅＢＭＳＣ９０１から受信したユーザデータは、ｅＢＭＳＣ通信部１５０１経由で、ＭＢＭＳ  ＵＰ部１５０５に渡り、ＭＢＭＳ  ＵＰ部１５０５での処理後、基地局通信部１５０４経由で、１つあるいは複数の基地局１０２へ送信される。ＭＢＭＳ  ＣＰ部１５０３とＭＢＭＳ  ＵＰ部１５０５は接続している。ＭＢＭＳ  ＧＷ８０２の一連の処理は制御部１５０６によって制御される。よって制御部１５０６は図面では省略しているが各部（１５０１〜１５０６）と接続している。
【００３８】
次に図１６に本発明にかかる移動体通信システムとしての処理の流れの一例を示す。図１６は、ＬＴＥ方式の通信システムにおいて移動端末がＭＢＭＳの利用開始から利用修了までの処理の概略を示すフローチャートである。図１６のステップＳＴ１６０１にて移動端末は、ＭＢＭＳ／ユニキャスト混合セルでのサービングセルのセルセレクションを行う。以降、ステップ１６０１の処理を「ユニキャスト側セルセレクション」と称する。ステップＳＴ１６０１−１にてネットワーク側は移動端末に対して「受信可能なＭＢＭＳに関する報知」処理を行う。具体的には、現在利用可能なＭＢＭＳサービスが存在することや、その周波数に関する情報（周波数のリスト）が、ネットワーク側から移動端末に通知される。ＳＴ１６０１−１の処理によって移動端末は、利用可能なＭＢＭＳサービスが存在することやその周波数を知ることができるので、受信可能周波数を総当り的に検索する必要がなくなる。このことは、移動端末が現在の周波数以外の周波数からのサービスを受信するまでの制御遅延を短くするという効果を奏する。
【００３９】
ステップＳＴ１６０２にて移動端末は、ステップＳＴ１６０１でネットワーク側から通知された情報を基に、ＭＢＭＳ送信専用セルのサーチ処理を行う。サーチ処理の具体例としては、タイミング同期（無線フレームタイミングによる同期）や、システム帯域幅、送信アンテナ数、ＭＢＳＦＮエリア識別子（ＩＤ）（MBSFNエリア番号とも称される。）、ＭＣＣＨ（マルチキャスト制御チャネル）関連情報などのシステム情報の取得などがある。以降、ステップ１６０２の処理を「ＭＢＭＳのサーチ」と称する。ステップＳＴ１６０３にて移動端末は、ネットワーク側からＭＢＭＳ送信専用セルにおいて、ＭＢＭＳサービス（MCCH及びMTCH）を受信するための情報を受信する。以降、ステップ１６０３の処理を「ＭＢＭＳ  Ａｒｅａ情報取得」と称する。ステップＳＴ１６０４にてユーザ（移動端末）は、ステップＳＴ１６０３にてネットワーク側から受信したＭＢＭＳサービスを受信するための情報を用いて、ユーザが所望するＭＢＭＳサービスを選択する。以降、ステップ１６０４の処理を「ＭＢＭＳサービス選択」と称する。
【００４０】
先に「第一の課題」として説明したとおり、ＬＴＥ方式による通信システムでは、ＭＢＭＳサービスが提供する放送データを移動端末に送信するための下りリンクのみを設け、上りリンクを省くことで簡略なシステム構成を実現するＭＢＭＳ送信専用のセルを設けることが検討されている。上記説明のステップ１６０１−１からステップＳＴ１６０４は、かかるＭＢＭＳ送信専用セルによるＭＢＭＳサービスを選択するまでの方法を開示した。上記説明の一連の処理により、移動端末がＭＢＭＳ送信専用セルにて所望のＭＢＭＳサービスを受信することが出来るという効果を奏する。
【００４１】
ステップＳＴ１６０５にて移動端末は、ステップＳＴ１６０３にてネットワーク側から受信したＭＢＭＳサービスを受信するための情報を用いて、ＭＢＭＳ送信専用セルからＭＢＭＳデータを間欠受信するための準備を行う。以降、ステップ１６０５の処理を「ＭＢＭＳ受信時  間欠受信準備」と称する。ステップＳＴ１６０６にて移動端末は、ネットワーク側にＭＢＭＳ送信専用セルにおける、ＭＢＭＳの受信状況を通知する「ＭＢＭＳ側受信状況通知」処理を行う。ＭＢＭＳ送信専用セルは上りリンクを設けていないので、ＭＢＭＳ専用セルでＭＢＭＳデータを受信している移動端末はネットワーク側に位置登録を行うことができない。この場合、ネットワーク側は移動端末の存在するセルを特定できないので、当該移動端末宛ての着信が発生した場合にページング信号を送ることが困難であった。本ステップＳＴ１６０６によりネットワーク側は、当該移動端末がＭＢＭＳ送信専用セルにてＭＢＭＳサービスを受信している旨を知ることができ、移動端末を追跡することが可能になるので、ＭＢＭＳ送信専用セルでＭＢＭＳサービスを利用中の移動端末宛てに着信が発生したとき、ページング情報をＭＭＥ１０３、ＭＣＥ８０１−１経由でＭＢＭＳ送信専用セルに転送し、ＭＢＭＳサービスを利用中の移動端末に個別着信が発生したことを知らせることができる。したがって、ＭＢＭＳ送信専用セルでＭＢＭＳサービスを利用中の移動端末に対するページングに関する第一の課題を解決することができる。
【００４２】
ステップＳＴ１６０７にて、移動端末はユニキャストセル（図10 102-1）または／かつＭＢＭＳ／ユニキャスト混合セル（図10  102-2）の電解強度測定やセル選択を含む測定（メジャメント）処理を行う。この処理を「Ｕｎｉｃａｓｔ側メジャメント」と称する。本ステップＳＴ１６０７によりＭＢＭＳ送信専用の周波数レイヤにてＭＢＭＳサービスを受信中の移動端末が、ユニキャスト／ミクスド周波数レイヤのメジャメントを行うことが可能となる。これにより第二の課題である、上りリンクが存在しないＭＢＭＳ専用基地局で構成されたＭＢＭＳ送信専用の周波数レイヤにてＭＢＭＳサービスを受信中であってもユニキャスト／ミクスド周波数レイヤ経由における移動端末のモビリティ管理が可能となる効果を得ることが出来る。ステップＳＴ１６０８にてＭＢＭＳ送信専用の周波数レイヤにてＭＢＭＳサービスを受信中の移動端末はページング信号受信のための間欠受信を行う。ネットワーク側は、ＭＢＭＳ送信専用の周波数レイヤにてＭＢＭＳサービスを受信している移動端末へのＰａｇｉｎｇ信号をＭＢＭＳ受信時間欠受信構成にて通知する。以降、ステップ１６０８の処理を「ＭＢＭＳ受信時  間欠受信」と称する。ステップＳＴ１６０５〜ステップＳＴ１６０８にて、ＭＢＭＳ送信専用の周波数レイヤでＭＢＭＳサービスを受信している移動端末に対する、ページング信号の通知方法、及びそのための移動体通信システムを開示することができ、これにより、ＭＢＭＳ送信専用の周波数レイヤでＭＢＭＳサービスを受信している移動端末においても、ページング信号を受信可能になるという効果を奏する。ステップＳＴ１６０８の「ＭＢＭＳ受信時  間欠受信」にてＰａｇｉｎｇ信号を受信しなかった移動端末は、ステップＳＴ１６０９へ移行する。
【００４３】
ステップＳＴ１６０９にて移動端末は、ＭＢＭＳ送信専用の周波数レイヤからのＭＢＭＳトラヒックデータ（ＭＴＣＨ）を受信する。以降、ステップＳＴ１６０９の処理を「ＭＴＣＨ受信」と称する。「ＭＴＣＨ受信」を行っている移動端末は、「Ｕｎｉｃａｓｔ側メジャメント」のタイミングにてステップＳＴ１６０７へ移行する。あるいは「ＭＴＣＨ受信」を行っている移動端末は、受信感度が悪くなった場合にステップＳＴ１６０２、あるいはステップＳＴ１６０４へ移行する。ステップＳＴ１６０８の「ＭＢＭＳ受信時  間欠受信」にてＰａｇｉｎｇ信号を受信した移動端末は、ステップＳＴ１６１０へ移行する。ステップＳＴ１６１０にて移動端末は、ＭＢＭＳ送信専用の周波数レイヤからユニキャスト／ミクスド周波数レイヤへ移動し、ユニキャストセルあるいはミクスドセルからの制御データの送受信を行う。以降、ステップＳＴ１６１０の処理を「Ｕｎｉｃａｓｔ側  間欠受信」と称する。これにより当該移動端末は、ユニキャスト／ミクスド周波数レイヤにてネットワーク側へ上りデータを送信することが可能となる。よって、上りリンクが存在しないＭＢＭＳ送信専用の周波数レイヤにてページング信号を受信した移動端末が、ユニキャスト／ミクスド周波数レイヤにてページング信号に対する応答を送信する方法、及びそのための移動体通信システムを開示することが出来る。
【００４４】
ステップＳＴ１６１１にて移動端末は、ネットワーク側へＭＢＭＳ送信専用の周波数レイヤでのＭＢＭＳ受信を終了する旨を通知する。以降、ステップＳＴ１６１１の処理を「ＭＢＭＳ受信終了」と称する。本ステップＳＴ１６１１によりネットワーク側は、当該移動端末がＭＢＭＳ送信専用の周波数レイヤでのＭＢＭＳサービスの受信を終了する旨を知ることが出来る。よって、ネットワーク側がＭＢＭＳ送信専用の周波数レイヤにて当該移動端末へのページング信号を通知する構成を中止することが出来る。これにより、当該移動端末が受信することがない、ＭＢＭＳ送信専用の周波数レイヤからの当該移動端末へのページング信号を移動体通信システムとして中止することが可能となり、無線リソースの有効活用という効果を奏する。
【００４５】
以下、図１７を用いて図１６で述べた移動体通信システムの処理の流れの詳細な具体例について説明する。図１７はユニキャスト側のセルセレクションを説明するフローチャートである。ステップＳＴ１７０１にて、ユニキャストセル、ＭＢＭＳ／ユニキャスト混合セル（単に混合セル（Mixed cell）とも称する）は第一同期チャネル（Primary Synchronization Channel: P-SCH）と第二同期チャネル（Secondary Synchronization Channel: S-SCH）、リファレンス信号（リファレンスシンボルとも称される。Reference Symbol :RS）を傘下の移動端末に対して報知する。ステップＳＴ１７０２にて、移動端末は基地局（ユニキャストセルまたは／かつ混合セル）からのＰ−ＳＣＨ、Ｓ−ＳＣＨ、ＲＳを受信する。ステップＳＴ１７０３にて、移動端末は受信したＰ−ＳＣＨ、Ｓ−ＳＣＨ、ＲＳを用いて初期セルサーチ動作を行う。現在３ＧＰＰで議論されているセルサーチ動作の詳細を説明する。第１段階として移動端末は、移動体通信システムとして３種類の規定シーケンスが存在する第一同期チャネル(P-SCH)をブラインド検出する。Ｐ−ＳＣＨは周波数としてはシステム帯域幅の中心７２サブキャリアに、時間的としては無線フレーム毎に１番目（＃０）と６番目（＃５）にマッピングされる。よってＰ−ＳＣＨをブラインド検出した移動端末は、５ｍｓタイミング検出と、セルグループ（先のＰ−ＳＣＨの３週類のシーケンスに対応する１〜３グループ）を知ることが出来る。第２段階として、移動端末は、第二同期チャネル(S-SCH)をブラインド検出する。Ｓ−ＳＣＨのマッピング位置はＰ−ＳＣＨと同様である。Ｓ−ＳＣＨをブラインド検出した移動端末は１０ｍｓタイミング検出（フレーム同期）とセル識別子（Cell ID）を知ることが出来る。
【００４６】
ステップＳＴ１７０４にて移動端末は、セルセレクションを行う。セルセレクションは移動端末が複数の基地局からの下り受信感度を測定した測定結果を用いて、サービング基地局（セル）になり得る条件を満足した基地局を１つ選択する処理である。サービング基地局になり得る条件の具体例としては、複数の基地局からの下り受信感度の中でもっとも受信感度が良いもの、あるいはサービング基地局の受信感度の最低閾値を超えた基地局などが考えられる。実際に移動端末が測定する値としては、リファレンスシンボル受信電力（Reference Symbol received power: RSRP）、Ｅ−ＵＴＲＡキャリア受信信号強度値（E-UTRA carrier received signal strength indicator: RSSI）などがある。サービング基地局とは、当該移動端末のスケジューリングを担当する基地局である。当該移動端末のサービング基地局以外の基地局であっても、他の移動端末にとってはサービング基地局になり得る。つまりユニキャストセルあるいは、ＭＢＭＳ／ユニキャスト混合セルの全ての基地局はスケジューリング機能を有し、いずれかの移動端末のサービング基地局となり得る。ステップＳＴ１７０５にて、ユニキャストセル、ＭＢＭＳ／ユニキャスト混合セルは論理チャネルのひとつである報知制御チャネル(BCCH)を用いて報知情報を送信する。報知情報の具体例は、メジャメント周期、間欠受信周期、トラッキングエリア情報（TA情報）などがある。メジャメント周期とはネットワーク側が傘下の移動端末に通知する周期であって、この周期にしたがって移動端末は電界強度などの測定を行う。間欠受信周期とは、移動端末が待受け状態（Idle State）時にページング信号を受信するために、周期的にページング信号をモニタする周期である。ＴＡ情報とは「追跡領域」(Tracking Area)に関する情報である。ＭＭＥはＵＥが登録されている追跡領域に属する各ｅＮＢにページングメッセージを送ることにより、ページング処理を開始する（TS36.300  19.2.2.1）。ステップＳＴ１７０６にて、移動端末はサービング基地局からＢＣＣＨを介してメジャメント周期、間欠受信周期、ＴＡ情報などを受信する。
【００４７】
ステップＳＴ１７０７にてユニキャストセル、ＭＢＭＳ／ユニキャスト混合セルはＢＣＣＨを用いて、移動端末に対して、利用可能なＭＢＭＳサービスの周波数、つまり受信可能なＭＢＳＦＮ同期エリア（MBSFN Synchronization Area）の周波数（f(MBMS)と称する）を１つあるいは複数報知する。Ｗ−ＣＤＭＡ通信システムではプリファード周波数情報（Preferred frequency information: PL情報）というパラメータが存在した。ＰＬ情報はネットワーク側で論理チャネルであるマルチキャスト制御チャネル(MCCH)にマッピングされ、傘下の移動端末に対して報知される。しかし、ＬＴＥシステムにおいては、ＭＢＭＳサービスを提供しないユニキャストセルを設けることが予定されており、かかるユニキャストセルでは、ＭＢＭＳ用のチャネルであるＭＣＣＨを用いてｆ（ＭＢＭＳ）を報知する方法は採用できないという問題がある。
【００４８】
ステップＳＴ１７０８にて、移動端末は、サービング基地局からＢＣＣＨを用いて送信されたｆ（ＭＢＭＳ）を受信する。ｆ（ＭＢＭＳ）を移動端末が受信することで、移動端末は現在の周波数以外でサービスが存在する可能性のある周波数について総当り的に検索する必要がなくなる。このことは、移動端末が現在の周波数以外の周波数からのサービスを受信するまでの制御遅延を短くするという効果を奏する。ステップＳＴ１７０７、ステップＳＴ１７０８は実施の形態１で述べた「受信可能なＭＢＭＳに関する報知」の詳細な具体例である。ここで、移動体通信システムとしてｆ（ＭＢＭＳ）が静的（Static）あるいは準静的（Semi-Static）に決定しておけば、基地局よりｆ（ＭＢＭＳ）を報知せずに上記移動端末が現在の周波数以外の周波数からサービスを受信するまでの制御遅延が短くなるという効果を得ることができる。さらに、ｆ（ＭＢＭＳ）を報知する必要がなくなるので、無線リソースの有効活用という効果も合わせて得ることができる。
【００４９】
一方、ステップＳＴ１７０７とステップＳＴ１７０８において、ｆ（ＭＢＭＳ）に加えて各ｆ（ＭＢＭＳ）におけるシステム帯域幅、送信アンテナ数を基地局からＢＣＣＨを用いて報知することも可能である。これにより、ステップＳＴ１７０８にて、移動端末は、サービング基地局からＢＣＣＨを用いて送信されたｆ（ＭＢＭＳ）を受信することにより、ＭＢＭＳ送信専用の周波数レイヤにおいて、システム情報（システム帯域幅、送信アンテナ数）を取得する必要がなくなるので、制御遅延を短くすることができるという効果を得ることができる。なぜならｆ（ＭＢＭＳ）を受信するためにユニキャスト／周波数レイヤにおいてはサービング基地局からのＢＣＣＨを受信する必要があるので、情報（システム帯域幅、送信アンテナ数）が増えたとしても移動端末の処理時間としてはさほど長くはならない。一方、ＭＢＭＳ送信専用の周波数レイヤに移ってから、ＭＢＭＳ送信専用の周波数レイヤのシステム情報を取得するためには、ＭＢＭＳ送信専用の周波数レイヤにおける情報を受信する必要があり、あらたに別のチャネルのデコード処理が必要となるため、制御遅延が発生する。
【００５０】
ステップＳＴ１７０９にて移動端末は、プロトコル処理部１１０１あるいは制御部１１１０にて保管している現在のトラッキングエリアリスト（TA List）中に、ステップＳＴ１７０６で受信したサービング基地局のＴＡ情報が含まれているか確認する。含まれている場合、図１８のステップＳＴ１７２０へ移行する。含まれていない場合はステップＳＴ１７１０を実行する。ステップＳＴ１７１０にて移動端末は、「アタッチリクエスト」(Attach Request)をサービング基地局へ通知する。「アタッチリクエスト」に含まれる情報としては、移動端末の識別子（IMSI（International Mobile Subscriber Identity）あるいはS-TMSI（S-Temporary Mobile Subscriber Identity, S-TMSIは単にTemporary Mobile Subscriber Identity（TMSI）と称されることもある）、移動端末の能力（Capability）などがある。ステップＳＴ１７１１にて「アタッチリクエスト」を受信したサービング基地局は、ステップＳＴ１７１２にて「アタッチリクエスト」をＭＭＥ（Mobility Management Entity）あるいはＨＳＳ（Home Subscriber Server）へ通知する。ステップＳＴ１７１３にてＭＭＥは「アタッチリクエスト」を受信する。ＭＭＥのアイドルステートモビリティ管理部１３０５−３は、各移動端末のトラッキングエリアリストを管理している。ステップＳＴ１７１４にてＭＭＥは当該移動端末の管理しているトラッキングエリアリストに当該移動端末のサービング基地局が含まれているか確認する。含まれている場合は、図１８のステップＳＴ１７１６へ移行する。含まれていない場合はステップＳＴ１７１５を実行する。ステップ１７１５にてＭＭＥのアイドルステートモビリティ管理部１３０５−３は、当該移動端末の管理しているトラッキングエリアリストに当該移動端末のサービング基地局のＴＡ情報を追加（あるいは更新）する処理を行う。ステップＳＴ１７１６にてＭＭＥは「アタッチアクセプト」（Attach Accept）をサービング基地局へ通知する。「アタッチアクセプト」に含まれる情報としては、トラッキングエリアリスト、移動端末へ与えられる識別子（S-TMSIなど）などがある。ステップＳＴ１７１７にて「アタッチアクセプト」を受信したサービング基地局は、ステップＳＴ１７１８にて「アタッチアクセプト」を当該移動端末へ通知する。ステップＳＴ１７１９にて移動端末は「アタッチアクセプト」を受信する。
【００５１】
図１８は、ＭＢＭＳサーチ処理を示すフローチャートである。図１８のステップ１７２０〜ステップ１７２５は、実施の形態１で述べた「ＭＢＭＳのサーチ」の具体的な処理である。ステップＳＴ１７２０にて移動端末は、ステップＳＴ１７０８にて受信可能なＭＢＳＦＮ同期エリアの周波数（あるいはMBMS送信専用の周波数レイヤの周波数）を受信したか確認する。つまりｆ（ＭＢＭＳ）を１つ以上受信したか確認する。存在しなかった場合、処理を終了する。存在した場合、ステップＳＴ１７２１を実行する。ステップＳＴ１７２１にて移動端末は、ユーザがｆ（ＭＢＭＳ）にてＭＢＭＳサービスを受信する意思があるかどうかを確認する。確認の具体例としては、ユーザがＭＢＭＳサービスを受信する意思が有る場合にユーザインタフェースを用いて移動端末に対して指示を送り、移動端末はユーザの意思をプロトコル処理部１１０１へ保管する。ステップＳＴ１７２１にて移動端末はプロトコル処理部１１０１に保管されているＭＢＭＳサービスを受信する意思の有無を確認する。ＭＢＭＳサービスを受信する意思がなければ、ステップＳＴ１７２１の処理を繰り返す。繰り返す方法としては、一定周期で移動端末がステップＳＴ１７２１の判断を行う方法、あるいはユーザからのユーザインタフェースを通じたＭＢＭＳサービスを受信する意思の変更通知があった際にステップＳＴ１７２１あるいは、ステップＳＴ１７２０を行う方法などがある。ＭＢＭＳサービスを受信する意思があれば、ステップＳＴ１７２２へ移行する。ステップＳＴ１７２２にて移動端末は、周波数変換部１１０７（シンセサイザ）の設定周波数を変更し、中心周波数をｆ（ＭＢＭＳ）へ変更することによりＭＢＭＳのサーチ動作を開始する。周波数変換部１１０７の設定周波数を変更し、中心周波数を変更することをリチューン（re-tune）と称する。ステップＳＴ１７２３にて、ＭＢＭＳ専用セルは第一同期チャネル（Primary Synchronization Signal: P-SCH）と第二同期チャネル（Secondary Synchronization Signal: S-SCH）、レファレンス信号（RS(MBMS)）、ＢＣＣＨを傘下の移動端末に対して報知する。ステップＳＴ１７２４にて、移動端末はＭＢＭＳ専用セルからのＰ−ＳＣＨ、Ｓ−ＳＣＨ、ＲＳ（ＭＢＭＳ）、ＢＣＣＨ（報知制御チャネル）を受信する。
【００５２】
ステップＳＴ１７２５にて移動端末はＭＢＭＳのサーチ動作を行う。現在３ＧＰＰで議論されているＭＢＭＳ送信専用の周波数レイヤにおけるサーチ動作について説明する。Ｐ−ＳＣＨにＭＢＭＳ送信専用の周波数レイヤにおいて専用的に用いるシーケンスを追加する。追加の専用シーケンスは、静的に規定されたものとする。第一段階として移動端末は、追加の専用のシーケンスにてＰ−ＳＣＨをブラインド検出する。Ｐ−ＳＣＨは周波数的にはシステム帯域幅の中心７２サブキャリアに、時間的としては無線フレーム毎に１番目（＃０）と６番目（＃５）にマッピングされる。よってＰ−ＳＣＨをブラインド検出した移動端末は、５ｍｓタイミング検出することができる。また、Ｐ−ＳＣＨはマルチセル送信される。第二段階として移動端末は、Ｓ−ＳＣＨをブラインド検出する。Ｓ−ＳＣＨのマッピング位置はＰ−ＳＣＨと同様である。Ｓ−ＳＣＨをブラインド検出した移動端末は１０ｍｓタイミング検出（フレーム同期）とＭＢＳＦＮエリアＩＤを知ることが出来る。またＳ−ＳＣＨはマルチセル送信される。第二段階で得たＭＢＳＦＮエリアＩＤと関連付けられているスクランブリングコード(Scrambling Code)を用いてＢＣＣＨを受信する。移動端末は、ＢＣＣＨをデコードすることにより、ＭＣＣＨ（マルチキャスト制御チャネル）のスケジューリングを得ることが出来る。このデコード処理は、前記ＭＢＳＦＮエリアＩＤと関連付けられているスクランブリングコード（Scrambling Code）を用いる。またＢＣＣＨはマルチセル送信される。本発明では、さらにＢＣＣＨをデコードすることによりｆ（ＭＢＭＳ）におけるシステム帯域幅、ｆ（ＭＢＭＳ）における送信アンテナ数を得ることが出来るものとする。ここで、移動体通信システムとしてｆ（ＭＢＭＳ）におけるシステム帯域幅、送信アンテナ数を静的（Static）あるいは準静的（Semi-Static）に決定しておけば、基地局よりｆ（ＭＢＭＳ）におけるシステム帯域幅または／かつ送信アンテナ数を報知する必要がなく、無線リソースの有効活用という効果を得ることができる。さらにデコードおよび、パラメータ（ｆ（ＭＢＭＳ）におけるシステム帯域幅または／かつ送信アンテナ数）の変更が不要となるので移動端末の低消費電力化、制御遅延の削減という効果を得ることが出来る。
【００５３】
本発明では、ステップＳＴ１７２５で行われるＭＣＣＨのスケジューリングについて更に検討する。現在の３ＧＰＰの規格においてＭＢＳＦＮ同期エリア（Multimedia Broadcast multicast service Single Frequency Network Synchronization Area f(MBMS)）は１つ以上のＭＢＳＦＮエリア（MBSFN Areas）を支持することができることになっている（図７参照）。一方、ひとつの周波数（Single Frequency）であるｆ（ＭＢＭＳ）で複数のＭＢＳＦＮエリアをどのように多重するのかは決まっていない。ここではＭＢＳＦＮエリアの多重方法が異なった場合であっても本発明が適応可能となるように多重方法ごとに「ＭＢＭＳ  サーチ」処理を説明する。
【００５４】
図２２に、ＭＢＳＦＮエリア毎に設けられたＰＭＣＨの構成を示す。図２２はＭＢＳＦＮエリア毎に時分割多重(ＴＤＭ)としている。セル＃ｎ１（セル＃ｎ２、セル＃ｎ３）はＭＢＳＦＮエリア１（ＭＢＳＦＮエリア２、ＭＢＳＦＮエリア３）内のセルである。現在の３ＧＰＰでは非特許文献２にてミクスドセルにおけるＭＢＳＦＮサブフレームの割り当てについての議論はなされている。しかし、ＭＢＭＳ専用セルにはユニキャスト用のサブフレームが存在しないため、全てがＭＢＳＦＮサブフレームとなる。よって非特許文献２の議論をそのまま流用することは出来ない。しかし、ミクスドセルとＭＢＭＳ専用セルの構成を可能な限りにおいて統一することは移動体通信システムの複雑化を回避する上で重要である。よって非特許文献２で開示されている「ＭＢＳＦＮフレームクラスタ」(MBSFN frame Cluster)について考え方を踏襲した上で、ＭＢＭＳ専用セルのスケジューリングについての方法を開示する。さらに、非特許文献２ではＭＢＳＦＮサブフレーム内のＭＣＣＨのスケジューリングについては触れられていない点においても本発明との異なる点である。ＭＣＣＨのスケジューリングの具体例については議論されていない。本発明ではＭＣＣＨのスケジューリングの具体例を示す。
【００５５】
セル＃ｎ１のセルはＭＢＳＦＮエリア１に属するため、ＭＢＳＦＮエリアに対応したＰＭＣＨがある時間に送信される。ＰＭＣＨはＭＢＳＦＮエリア内でマルチセル送信されるため、ＭＢＳＦＮサブフレーム上で送信される。ＭＢＳＦＮサブフレームが割り当てられるＭＢＳＦＮフレームの集合を「ＭＢＳＦＮフレームクラスタ」とする。ＭＢＭＳ専用セルではＭＢＳＦＮフレーム内全てのサブフレームをマルチセル送信に用いられるＭＢＳＦＮサブフレームとしても良い。ＭＢＳＦＮフレームクラスタが繰り返される周期を「ＭＢＳＦＮフレームクラスタ繰り返し周期」（MBSFN frame cluster Repetition period）とする。ＰＭＣＨにはひとつまたは複数のＭＢＭＳ用のトランスポートチャネルＭＣＨがマッピングされ、ＭＣＨにはＭＢＭＳ用制御情報のロジカルチャネルＭＣＣＨとＭＢＭＳ用データのロジカルチャネルＭＴＣＨのいずれか、あるいは両方がマッピングされる。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨがマッピングされる物理領域であるＭＢＳＦＮサブフレームが異なっていても良い。各ＭＢＳＦＮフレームクラスタ上にＭＣＣＨがマッピングされても良いし、ＭＴＣＨのみでも良い。ＭＴＣＨのみが存在する場合、ＭＣＣＨの繰り返し周期はＭＢＳＦＮフレームクラスタの繰り返し周期と異なる。また、ＭＢＳＦＮフレームクラスタ上に複数のＭＣＣＨがマッピングされる場合も存在する。
【００５６】
図２２で、セル＃ｎ１（セル＃ｎ２、セル＃ｎ３）のセルはＭＢＳＦＮエリア１（ＭＢＳＦＮエリア２、ＭＢＳＦＮエリア３）に属し、各ＭＢＳＦＮエリアに対応したＰＭＣＨがある時間に送信される。ＭＣＣＨ１（ＭＣＣＨ２、ＭＣＣＨ３）はＭＢＳＦＮエリア１（ＭＢＳＦＮエリア２、ＭＢＳＦＮエリア３）用のＭＢＭＳ制御情報で、ＭＴＣＨ１（ＭＴＣＨ２、ＭＴＣＨ３）はＭＢＳＦＮエリア１（ＭＢＳＦＮエリア２、ＭＢＳＦＮエリア３）用のＭＢＭＳデータである。各ＭＢＳＦＮエリア毎に、ＭＣＣＨの繰り返し周期は異なっていても良い。図において、セル＃ｎ１（セル＃ｎ２）のＭＣＣＨ繰り返し周期は"MCCH Repetition period1(2)"と表記される。ＭＢＳＦＮエリア毎のＰＭＣＨは時分割多重されており、そのため、セル間の同期が確保されているＭＢＳＦＮ同期エリア内でＭＢＳＦＮエリア間のセルの直交性が得られ、他ＭＢＳＦＮエリアのセルからの干渉が防げる。ＭＢＳＦＮエリアではマルチセル送信が用いられるため、各ＭＢＳＦＮエリア内のセルは各々同一のＰＭＣＨにて同一のデータを送信する。一つのセルにＭＢＳＦＮエリアが複数重複していても、上記ＰＭＣＨの構成は各ＭＢＳＦＮエリア間の直交性を保ったまま適用することが可能である。
【００５７】
ＭＣＣＨのスケジューリングについて詳細を説明する。ＭＢＳＦＮフレームクラスタがＭＣＣＨ繰り返し周期より小さい場合について説明する。ＭＢＳＦＮフレームクラスタがＭＣＣＨ繰返し周期より大きい場合については後述する。ＭＣＣＨのスケジューリングとしてＭＣＣＨがマッピングされる時間のスターティングポイント値およびＭＣＣＨ繰り返し周期を通知することを考える。更に具体的には、スターティングポイント値の指定にはＳＦＮ（System Frame Number）を用いる。ＭＣＣＨスターティングポイント値を求める具体的な計算式は下記のとおりである。
ＭＣＣＨスターティングポイント値＝（ＭＣＣＨがマッピングされる先頭のＳＦＮ番号）ｍｏｄ（ＭＣＣＨ  Ｒｅｐｅｔｉｔｏｎ  Ｐｅｒｉｏｄ）
図２２においては、ＭＢＳＦＮエリア１のＭＣＣＨスターティングポイント値１は、１ｍｏｄ１８＝１  あるいは  １９ｍｏｄ８＝１・・・となりＭＢＳＦＮエリア１のＭＣＣＨスケジューリングのパラメータはＭＣＣＨ繰り返し周期１「１８」、ＭＣＣＨスターティングポイント値１「１」となる。ＭＢＳＦＮエリア２のＭＣＣＨスターティングポイント値２は、４ｍｏｄ９＝４  あるいは  １３ｍｏｄ９＝４  あるいは  ２２ｍｏｄ９＝４・・・となりＭＢＳＦＮエリア２のＭＣＣＨスケジューリングのパラメータはＭＣＣＨ繰り返し期間２「９」、ＭＣＣＨスターティングポイント値２「４」となる。ＭＢＳＦＮエリア３についても同様である。この時のシステムフレームナンバーＳＦＮはＢＣＣＨにマッピングされているとすれば毎サブフレーム報知され、ＭＣＣＨスターティングポイント値からＭＣＣＨを受信する際にも有効である。更に、ＭＣＣＨが無線フレーム中の一部のサブフレームにマッピングされている場合などは、スターティングポイントとしてＳＦＮかつサブフレーム番号などが通知されても良い。
【００５８】
つまりＭＢＳＦＮエリア１に属する基地局（セル）、例えばセル＃ｎ１から送信されるデータとしては次のようになる。ＭＢＭＳ送信専用の周波数レイヤ専用のシーケンスであるＰ−ＳＣＨ、ＭＢＳＦＮエリアＩＤ１などがマッピングされたＳ−ＳＣＨ１、ＭＣＣＨスターティングポイント値１「１」、ＭＣＣＨ繰返し周期１「１８」などがマッピングされ、拡散符号１（Scrambling code1）がかけられたＢＣＣＨ１、ＭＢＳＦＮエリア１のＭＣＣＨ１とＭＴＣＨ１が送信される。ＭＢＳＦＮエリア２、３に属する基地局からのＭＣＣＨ２、３とＭＴＣＨ２、３のリソースは送信オフ（DTX: Discontinuous transmission）となる。ＭＣＣＨ１とＭＴＣＨ２には拡散符号１がかけられても良い。ＭＣＣＨ１とＭＴＣＨ１に拡散符号をかけることにより、ＭＢＳＦＮエリア固有のデータ（ＢＣＣＨ、ＭＣＣＨ、ＭＴＣＨ）への処理が統一されるという効果を得ることが出来る。逆にエリア間においてＭＣＣＨ及びＭＴＣＨは時分割多重されているので、ＭＢＳＦＮエリア固有の拡散符号をかけなくても良い。ＭＣＣＨ１とＭＴＣＨ１に拡散符号をかけないことにより、基地局側でのエンコード処理、移動端末側でのデコード処理の負荷が軽くなり、データ受信までの遅延が減るという効果を得ることが出来る。
【００５９】
ＭＢＳＦＮエリア１同様にＭＢＳＦＮエリア２から送信されるデータとしては、次のようになる。ＭＢＭＳ送信専用の周波数レイヤ専用のシーケンスであるＰ−ＳＣＨ、ＭＢＳＦＮエリアＩＤ２などがマッピングされたＳ−ＳＣＨ２、ＭＣＣＨスターティングポイント値２「４」、ＭＣＣＨ繰り返し周期２「９」などがマッピングされ、拡散符号２がかけられたＢＣＣＨ２、ＭＢＳＦＮエリア２のＭＣＣＨ２とＭＴＣＨ２が送信される。ＭＢＳＦＮエリア１、３に属する基地局からのＭＣＣＨ１、３とＭＴＣＨ１、３のリソースは送信オフ（ＤＴＸ）となる。ＭＢＳＦＮ  Ａｒｅａ３についても同様である。  図２２においては便宜上ＭＣＣＨとＭＴＣＨがサブフレーム単位で時分割されて例を示しているが、ＭＣＣＨとＭＴＣＨの多重方法が別の方法であっても、時分割多重の単位がサブフレーム単位以外であっても本発明は適用可能である。また、移動体通信システムとしてＭＣＣＨ繰返し周期を静的（Static）あるいは準静的（Semi-Static）に決定しておけば、基地局よりＭＣＣＨ繰り返し周期を報知する必要がなくなる。報知する情報が少なくなるので、無線リソースの有効活用という効果を得ることができる。
【００６０】
図２３に、ＭＢＳＦＮエリア毎に設けられたＰＭＣＨの構成を示す。図２３では、ＭＢＳＦＮエリア毎にＰＭＣＨが符号分割多重(Code Division Multiplex)されている。セル＃ｎ１（セル＃ｎ２、セル＃ｎ３）はＭＢＳＦＮエリア１（ＭＢＳＦＮエリア２、ＭＢＳＦＮエリア３）内のセルである。セル＃ｎ１のセルではＭＢＳＦＮエリア１に対応したＰＭＣＨが送信される。ここで、該ＰＭＣＨは時間的に連続していても良いし、不連続でも良い。不連続の場合は、ＭＢＳＦＮフレームクラスタ周期（MBSFN frame cluster Repetition period）は、ＭＢＳＦＮエリアに対応したＰＭＣＨが送信されるＭＢＳＦＮフレームクラスタが繰り返される周期に一致する。また、連続の場合のＭＢＳＦＮフレームクラスタ繰り返し周期（MBSFN frame cluster Repetition period）は０としても良い。また、連続の場合はＭＢＳＦＮフレームクラスタ繰返し周期を明示的に通知しないとしても良い。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。ＭＣＣＨが繰り返される周期をＭＣＣＨ繰り返し周期１とする。
【００６１】
同様に、セル＃ｎ２（セル＃ｎ３）のセルではＭＢＳＦＮエリア２（ＭＢＳＦＮエリア３）に対応したＰＭＣＨが送信される。各ＭＢＳＦＮエリア毎に、ＭＣＣＨの繰り返し周期は異なっていても良い。セル＃ｎ２（セル＃ｎ３）のＭＣＣＨ繰り返し周期をＭＣＣＨ繰り返し周期２（ＭＣＣＨ繰り返し周期３）とする。ＭＢＳＦＮエリア毎のＰＭＣＨには、ＭＢＳＦＮエリア固有の拡散符号が乗じられたデータがマッピングされるため、セル間の同期が確保されているＭＢＳＦＮ同期エリア内でＭＢＳＦＮエリア間の干渉が抑圧できる。ＭＢＳＦＮエリアではマルチセル送信が用いられるため、各ＭＢＳＦＮエリア内のセルは、各々同一のＰＭＣＨにて同一のデータ、すなわちMBSFNエリア固有の拡散符号の乗じられたデータを送信する。一つのセルにＭＢＳＦＮエリアが複数重複していても、上記ＰＭＣＨの構成は各ＭＢＳＦＮエリア間の干渉を抑制したまま適用することが可能である。
【００６２】
各ＭＢＳＦＮエリアから送信されるデータ（Ｐ−ＳＣＨ、Ｓ−ＳＣＨ、ＢＣＣＨ）については、先に記した時分割多重時の説明と同様であるため、説明を省略する。ＭＣＣＨのスケジューリングの具体例についても先に記した時分割多重時の説明と同様である。本発明では、「ＭＣＣＨがマッピングされる時間のスターティングポイント値」と「ＭＣＣＨ繰り返し周期」を、ＭＣＣＨのスケジューリングに使用するため、セルが端末に対して通知することを考える。更に具体的には、オフセット値の指定にはＳＦＮ（System Frame Number）を用いる。スターティングポイント値を求める具体的な計算式は下記の式で表される。
ＭＣＣＨスターティングポイント値＝（ＭＣＣＨがマッピングされる先頭のＳＦＮ番号）ｍｏｄ（ＭＣＣＨ  Ｒｅｐｅｔｉｔｏｎ  Ｐｅｒｉｏｄ）
【００６３】
図２３においては、ＭＢＳＦＮエリア１のＭＣＣＨスターティングポイント値は、１ｍｏｄ９＝１、あるいは、１０ｍｏｄ９＝１・・・となり、ＭＢＳＦＮエリア１のＭＣＣＨスケジューリングのパラメータはＭＣＣＨ繰り返し周期１「９」、スターティングポイント値「１」となる。ＭＢＳＦＮ  Ａｒｅａ２のＭＣＣＨスターティングポイント値は、４ｍｏｄ１２＝４、あるいは、１６ｍｏｄ１２＝４・・・となり、ＭＢＳＦＮエリア１のＭＣＣＨスケジューリングのパラメータはＭＣＣＨ繰り返し周期２「１２」、スターティングポイント値「４」となる。ＭＢＳＦＮ  Ａｒｅａ３も同様である。更に、ＭＣＣＨが無線フレーム中の一部のサブフレームにマッピングされている場合などは、スターティングポイントとしてＳＦＮかつサブフレーム番号などが通知されても良い。
【００６４】
つまりＭＢＳＦＮエリア１に属する基地局（セル）、例えばセル＃ｎ１から送信されるデータとしては、ＭＢＭＳ送信専用の周波数レイヤ専用のシーケンスであるＰ−ＳＣＨ、ＭＢＳＦＮエリアＩＤ１などがマッピングされたＳ−ＳＣＨ１、ＭＣＣＨスターティングポイント値１「１」、ＭＣＣＨ繰り返し周期１「９」がある。これらのデータは、ＢＣＣＨ１、ＭＣＣＨ１、ＭＴＣＨ１にマッピングされ、さらに拡散符号１により拡散されて送信される。ＭＢＳＦＮエリア２、３の場合も同様である。
図２３においては便宜上ＭＣＣＨとＭＴＣＨがサブフレーム単位で時分割された例を示しているが、ＭＣＣＨとＭＴＣＨの多重方法が別の方法であっても、時分割多重の単位がサブフレーム単位以外であっても本発明は適用可能である。また、移動体通信システムとしてＭＣＣＨ繰り返し周期を静的（Static）あるいは準静的（Semi-Static）に決定しておけば、基地局よりＭＣＣＨ繰り返し周期を報知する必要がなくなる。報知する情報が少なくなるので、無線リソースの有効活用という効果を得ることができる。また、ＭＢＳＦＮエリアを符号分割多重する場合、ＭＢＳＦＮエリア毎に異なる繰り返し周期を設定することができるので、ＭＢＳＦＮエリアを時分割多重する場合に対して、ＭＢＭＳサービスとして自由度の高いスケジューリングができるという効果を得ることができる。また、移動端末において、複数のＭＢＳＦＮエリアからのＭＴＣＨ及びＭＣＣＨを受信した場合でもそれらを分離することができるので、ＭＢＳＦＮエリア１〜３から同時にＭＴＣＨ、ＭＣＣＨを送信することが可能となり、１つのＭＢＳＦＮエリアに割り当てられる周波数及び時間的な無線リソースが拡大するという効果を得ることが出来る。
【００６５】
次に、図１８、図１９を適宜参照しながら、図１６のステップＳＴ１６０３の「ＭＢＭＳエリア情報取得」について更に具体的に説明する。各ＭＢＳＦＮエリアのＭＣＣＨ（マルチキャスト制御チャネル）はマルチセル送信を考える。よって、図１８のステップＳＴ１７２６にてＭＣＥは、ＭＢＳＦＮエリア内の基地局に対してＭＣＣＨの内容及びＭＣＣＨを送信するための無線リソースの割り当てを送信する。ステップＳＴ１７２７にて各ＭＢＭＳ専用基地局はＭＣＥからＭＣＣＨの内容及びＭＣＣＨを送信するための無線リソースの割り当てを受信する。図１９のステップＳＴ１７２８にて各基地局はＭＣＥから割り当られた無線リソースに従い、ＭＢＭＳエリア情報、間欠受信（ＤＲＸ）情報、ＭＢＭＳ受信時間欠受信用パラメータ（具体例としては、ページンググループ数Ｋ）などの制御情報を、ＭＣＣＨを使用してマルチセル送信する。ステップＳＴ１７２９にて移動端末は、ＭＢＳＦＮエリア内の各基地局からＭＣＣＨを受信する。ＭＣＣＨ受信にはステップＳＴ１７２５にてネットワーク側より受信したＭＣＣＨのスケジューリングを用いる。
【００６６】
受信の方法の具体例について説明する。代表として、各ＭＢＳＦＮエリアが図２２のように時分割多重されている場合について説明する。移動端末がＭＢＳＦＮエリア１に属するセル＃ｎ１に位置していた場合について説明する。移動端末はＢＣＣＨ１（報知制御チャネル）をデコードすることで、ＭＣＣＨ１のスケジューリングパラメータとして、スターティングポイント値１「１」、ＭＣＣＨ繰返し周期１（MCCH Repetition Period）「７」を受信する。またＳＦＮ（System Frame Number）がＢＣＣＨにマッピングされているとすれば、移動端末は、ＢＣＣＨをデコードすることでＳＦＮ番号を知ることが出来る。移動端末は、以下の式にてＭＣＣＨがマッピングされているＳＦＮ番号を求めることが出来る。
ＳＦＮ＝ＭＣＣＨ繰返し周期１×α＋スターティングポイント値１（αは正の整数）
【００６７】
移動端末は、ＭＣＣＨ１がマッピングされるＳＦＮ番号の無線リソースを受信してデコードすることによりＭＣＣＨ１を受信することが出来る。ＭＣＣＨ１には、ＭＢＳＦＮエリア１からマルチセル送信されるＭＢＭＳサービス用の制御情報がマッピングされている。制御情報の具体例としては、ＭＢＭＳエリア情報、ＤＲＸ情報、ＭＢＭＳ受信時間欠受信用パラメータなどがある。
【００６８】
ＭＢＭＳエリア情報について更に具体例を図２２を用いて説明する。ＭＢＭＳエリア情報として、各エリアのフレーム構成（ＭＢＳＦＮフレームクラスタ（MBSFN frame Cluster）、ＭＢＳＦＮサブフレーム）、サービス内容、ＭＴＣＨの変調情報などが考えられる。ＭＢＳＦＮフレームクラスタ１として１ＭＢＳＦＮフレームクラスタ繰り返し周期内のＭＢＳＦＮエリア１に割り当てられたフレームの集合中のフレーム数が通知される。ＭＢＳＦＮ  サブフレーム１としてＭＢＳＦＮフレームクラスタ１内の１無線フレーム内に実際にＭＢＭＳデータ（ＭＴＣＨまたは／かつＭＣＣＨ）がマッピングされているサブフレーム番号が通知される。ＭＢＭＳ専用基地局を用いたＭＢＭＳサービスの提供においては、ＭＢＭＳ／ユニキャスト混合セルとは異なり、ユニキャストデータとの無線リソースを共有する必要がない。よって１無線フレーム内の全てのサブフレームにＭＢＭＳデータをマッピングすることが可能である（但し、Ｐ−ＳＣＨ、Ｓ−ＳＣＨ、ＢＣＣＨマッピング部分除く）。全てのサブフレームにＭＢＭＳデータをマッピングする場合は、ＭＢＳＦＮサブフレームのパラメータをネットワーク側から移動端末側へ通知する必要がない。これにより無線リソースの有効活用を図ることができる。あるいは、無線通信システムとして静的にＭＢＭＳ専用セルからのＭＢＭＳデータの送信時は全てのサブフレームにＭＢＭＳデータをマッピングするという方法をとれば、大容量のＭＢＭＳデータを送信することが可能となり、またＭＢＳＦＮサブフレームのパラメータをも通知する必要がなくなるので、更に無線リソースの有効活用が図ることができる。サービス内容として、ＭＢＭＳエリア１で行われているサービス内容が通知される。ＭＢＳＦＮエリア１において複数のサービス（映画とスポーツ中継など）が行われている場合、複数のサービス内容とその多重パラメータが通知される。
【００６９】
図２４は、移動端末へのＭＢＭＳデータの送信が停止され、移動端末でのＭＢＭＳデータの受信動作が停止するＤＲＸ期間と、ＤＲＸ期間が繰り返される周期であるＤＲＸ周期の関係を示す説明図である。ＤＲＸ（Discontinuous reception）情報について図２４を用いて更に具体例を説明する。本発明の第二の課題である、ＭＢＭＳ専用基地局で構成されたＭＢＭＳ送信専用の周波数レイヤにおいても、移動端末のモビリティ管理が可能とする解決策として、ＭＢＭＳ送信専用周波数レイヤにてＭＢＭＳサービス受信中であっても、ユニキャスト／ミクスド周波数レイヤのメジャメントを行うことを開示する。これにより、上りリンクが存在しないＭＢＭＳ専用セルにおけるモビリティをユニキャスト／混合セル経由にて確保することが可能になるという効果を得ることができる。よって、ＭＢＭＳ送信専用セルにてＭＢＭＳサービスを受信中の移動端末であっても、一定周期にてユニキャストセル、ＭＢＭＳ／ユニキャスト混合セルのメジャメントを行う必要がある。従来の方法（３ＧＰＰ  Ｗ−ＣＤＭＡ）において、メジャメント周期は間欠受信周期の整数倍であり、移動端末に対してネットワーク側より上位レイヤにて通知される。
【００７０】
ここで、ＭＢＭＳ送信専用セルにてＭＢＭＳサービスを受信している移動端末が、従来の方法を適用してユニキャストセル、ＭＢＭＳ／ユニキャスト混合セルの上位レイヤより通知されたメジャメント周期にてメジャメントを行うとすれば、ＭＢＭＳ送信専用の周波数セルのＭＢＭＳＦＮ同期エリアを構成している基地局とユニキャスト／ミクスド周波数レイヤを構成している基地局は互いに同期していない（非同期）であるため、メジャメントを行うために、ＭＢＭＳ受信を中断しなければならなくなるという第三の課題が発生する。
【００７１】
そこで、本発明では、上記課題の解決策として、ＭＢＳＦＮ同期エリア内で一つのＤＲＸ期間を設けることとする（図２４参照）。ＤＲＸ期間とは、ＭＢＳＦＮ同期エリア内で全ＭＢＳＦＮエリアのＭＢＭＳサービスに関する、ネットワーク側から移動端末へのＭＢＭＳデータの送信を停止する期間、つまり移動端末側から見るとＭＢＭＳデータの受信を行わない期間を意味することとする。ＭＢＭＳ送信専用周波数レイヤにおいてＭＢＭＳサービスを利用している移動端末は、ＭＢＭＳデータがネットワーク側から送信されないＤＲＸ期間に、ユニキャストセル、ＭＢＭＳ／ユニキャスト混合セルのメジャメントを行うことにより、ＭＢＭＳサービスの利用を中断する必要がなくなるという効果を得る。また、ＤＲＸ期間をＭＢＳＦＮ同期エリアに設けることにより、移動端末は、何の制御を付加することなく、ＭＢＳＦＮ同期エリア内のＭＢＳＦＮエリアからのＭＢＭＳデータを同時に受信可能となる。
【００７２】
次に図２４に示したＤＲＸ周期について説明する。ＤＲＸ周期とは先に説明したＤＲＸ期間が繰り返される周期をいう。従来の方法においてメジャメント周期は移動端末に対してネットワーク側から設定（通知）される。この方法をＬＴＥにおいても踏襲するならば、ＭＢＭＳ送信専用の周波数レイヤにおいてＭＢＭＳサービスを受信中の移動端末がＤＲＸ期間にてユニキャスト／ミクスド周波数レイヤにおけるメジャメントを実施するとすれば、ＭＢＭＳ送信専用の周波数レイヤのＤＲＸ周期及びＤＲＸ期間の情報をいずれかの経路を通じてユニキャストセル、ＭＢＭＳ／ユニキャスト混合セル側の制御装置（基地局、ＭＭＥ、ＰＤＮＧＷなど）に通知する必要がある。さらにはユニキャスト／ミクスド周波数レイヤを構成する基地局は基本的には非同期で構成されていることより、ＭＢＭＳ送信専用の周波数レイヤのＤＲＸ周期及びＤＲＸ期間を各ユニキャストセルあるいは各ＭＢＭＳ／ユニキャスト混合セルに通知する必要が出てくる。この方法は、移動体通信システムを複雑化するものであり好ましくない。よって本発明では以下の方法を開示する。ＭＢＭＳ送信専用セルにおけるＤＲＸ周期を、ユニキャストセル、ユニキャスト／混合周波数セルでとり得るメジャメント周期の最小値あるいは最小値の約数とする。ユニキャストセルあるいは、ＭＢＭＳ／ユニキャスト混合セルが、ＭＢＭＳ送信専用の周波数レイヤにてＭＢＭＳサービスを受信中の移動端末に対して設定可能なメジャメント周期がユニキャスト／ミクスド周波数レイヤで取り得るメジャメント周期と異なる場合は、ＤＲＸ周期は、ＭＢＭＳ送信専用の周波数レイヤにてＭＢＭＳサービスを受信中の移動端末に対して設定可能なメジャメント周期、あるいは前記メジャメント周期の最小値、あるいは前記メジャメント周期の最小値の約数とする。これにより、ユニキャストセル、ＭＢＭＳ／ユニキャスト混合セルにて移動端末にどのメジャメント周期が通知（設定）されたとしても、ＭＢＭＳ送信専用の周波数レイヤにおいてＤＲＸ周期にて設けられたＤＲＸ期間にて、ユニキャスト／ミクスド周波数レイヤのメジャメントを行えば、ネットワーク側から通知されたメジャメント周期を満足することが可能となる。この方法を採用することにより、ＭＢＭＳ送信専用セルの制御装置（基地局、MCE、MBMSゲートウェイ、eBNSCなど）から、ユニキャストセル、ＭＢＭＳ／ユニキャスト混合セルの制御装置に対して、ＭＢＭＳ送信専用セルのＤＲＸ周期やＤＲＸ期間を通知する必要がなくなる。よって、移動体通信システムの複雑化を防ぐ、つまり無線インタフェース上あるいはネットワーク内の追加のシグナリングを回避しつつ、第二の課題及び第三の課題を解決するという効果を得ることになる。また、該ＤＲＸ期間にて、ユニキャスト／ミクスド周波数レイヤのサービングセルから報知情報の取得を行っても良く、例えばサービングセルにおける報知情報が修正された場合などに対応することが可能となる。
【００７３】
ＤＲＸ情報の具体的なパラメータ例について図２４を用いて説明する。具体的には、ＤＲＸ情報のパラメータは、ＤＲＸ期間、ＤＲＸ周期、スターティングポイント値（ＤＲＸ）が考えられる。具体的には、ＤＲＸ期間、ＤＲＸ周期の指定には無線フレーム数を用いる。図２４において、ＤＲＸ期間は「４」無線フレーム（SFN4〜7間での期間）となる。またＤＲＸ周期は「７」無線フレーム（SFN4〜10までの期間）となる。更にＤＲＸ期間が始まるスターティングポイント値（ＤＲＸ）の指定にはＳＦＮを用いる。ＤＲＸ期間、ＤＲＸ周期の指定に無線フレーム数以外を用いても良い、具体例として、サブフレームなどがある。スターティングポイント値の指定にＳＦＮ以外を用いても良い、具体例として何らかの基準値からのオフセット値などがある。ＤＲＸ期間が無線フレーム中の一部のサブフレームとなる場合などは、スターティングポイントとしてＳＦＮかつサブフレーム番号などが通知されても良い。スターティングポイント値（ＤＲＸ）を求める具体的な計算式は、スターティングポイント値（ＤＲＸ）＝（ＤＲＸ期間が始まる先頭のＳＦＮ番号）ｍｏｄ（ＤＲＸ周期）となる。図２４においては、スターティングポイント値（ＤＲＸ）は、４ｍｏｄ７＝４  あるいは  １１ｍｏｄ７＝４・・・となる。ここで、スターティングポイント値（ＤＲＸ）の指定にＳＦＮを用いる例を示した。ここでは、ＭＢＳＦＮ同期エリア内で一つのＤＲＸ期間を設ける例について説明した。よってスターティングポイント値（ＤＲＸ）についても、ＭＢＳＦＮ同期エリア内の基地局共通とする。スターティングポイント値（ＤＲＸ）にＳＦＮを用いた場合を考える。ＭＢＳＦＮ同期エリア内の基地局から同じタイミングで同じ番号が送信されるとする。上記では、ＤＲＸ情報をＭＣＣＨにマッピングしてＭＢＳＦＮ  Ａｒｅａ内の基地局から移動端末に通知する例について説明した。同様にＤＲＸ情報をＢＣＣＨにマッピングしてＭＢＳＦＮエリア内の基地局から移動端末に通知しても、同様の効果が得られる。更には、ＤＲＸ情報をＢＣＣＨにマッピングしてサービング基地局から移動端末に通知しても、同様の効果が得られる。更には、ＤＲＸ情報を静的（Static）あるいは準静的（Semi-Static）に決定しても同様の効果がえられる。これにより報知する必要がなくなるので、無線リソースの有効活用という効果も合わせて得ることができる。
【００７４】
ＭＢＭＳ受信時間欠受信用パラメータについて更に具体例を説明する。非特許文献１にてページンググループがＬ１／Ｌ２シグナリングチャネル（PDCCH）にて通知されることが開示されている。ＭＢＭＳ専用セルから送信される無線リソースにＬ１／Ｌ２シグナリングチャネルが存在するか否かは、まだ決定されていない。本実施の形態では、ＭＢＭＳ専用セルから送信される無線リソースにはＬ１／Ｌ２シグナリングチャネルが存在しないとして考える。しかし、ＬＴＥという同じ移動体通信システム中に存在するユニキャストセル、ＭＢＭＳ／ユニキャスト混合セル、ＭＢＭＳ送信専用セルのページング通知方法は可能な限り統一することが好ましい。統一することにより、移動体通信システムの複雑化を回避できるからである。以下の説明では、ＭＢＭＳ受信時間欠受信時用のパラメータとしてページンググループ数（以降、ＫＭＢＭＳ）を考える。
【００７５】
次に、図１６を用いて説明した「ＭＢＭＳサービス選択」について更に具体的に説明する。図１９のステップＳＴ１７３０にて移動端末は、該当ＭＢＭＳエリアにてユーザ所望のサービスが行われているか知るため、ＭＢＭＳエリア情報に含まれるサービス内容を確認する。当該ＭＢＳＦＮエリアにてユーザ所望のサービスが行われている場合は、ステップＳＴ１７３１へ移行する。ユーザ所望のサービスが行われていない場合は、ステップＳＴ１７３３へ移行する。ステップＳＴ１７３１にて移動端末は当該ＭＢＳＦＮエリアの無線リソースにてレファレンスシグナル(RS)を受信し、受信電力を測定する（RSRP）。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７３２へ移行し、閾値以下であればステップＳＴ１７３３へ移行する。ステップＳＴ１７３２にて移動端末は、ユーザが所望のＭＢＭＳサービスを受信するためのＭＢＭＳ送信専用の周波数ｆ（ＭＢＭＳ）とＭＢＳＦＮエリアＩＤを取得する。一方、ステップＳＴ１７３３にて移動端末は同じ周波数内（ｆ（ＭＢＭＳ））にて受信可能な他のＭＢＭＳエリアが存在するか否か判断する。同じ周波数内（ｆ（ＭＢＭＳ））にて受信可能な他のＭＢＭＳエリアが存在する場合は、ステップＳＴ１７３０へ戻り処理を繰り返す。存在しない場合はステップＳＴ１７３４へ移行する。ステップ１７３４にて移動端末は、ステップＳＴ１７０８にて受信した受信可能なＭＢＳＦＮ同期エリアの周波数リストにて他の周波数が存在するか否か判断する。存在した場合は、ステップＳＴ１７２２へ戻り、新たな周波数（ｆ２（ＭＢＭＳ））へシンセサイザを切り替えて処理を繰り返す。存在しない場合は、ステップＳＴ１７２０へ戻り処理を繰り返す。またステップ１７３１にてレファレンスシグナルを受信し、受信電力を測定する代わりに、実際に当該ＭＢＳＦＮエリアのＭＢＭＳサービス（ＭＴＣＨまたは／かつＭＣＣＨ）を受信し、デコードを行うことも可能である。その場合、ユーザ自身がデコード後のデータを聞くあるいは見ることにより自分自身が許容できる受信感度であるか否かを判断できる。許せる場合ステップＳＴ１７３２へ移行し、許せない場合ステップＳＴ１７３３へ移行する。許せる受信感度には、ユーザ毎に個人差があるので、よりユーザに適合した移動端末になるという効果を得ることが出来る。
【００７６】
図２０は、ユニキャスト側メジャメント処理を示すフローチャートである。図２０のステップＳＴ１７５３にて移動端末は、図１９のステップＳＴ１７２９で受信したＤＲＸ情報を用いて、ＭＢＭＳサービスのＤＲＸ期間開始タイミングが到来したか判断する。具体例としては、ステップＳＴ１７２９にて受信するパラメータ例のＤＲＸ周期、スターティングポイント値（ＤＲＸ）を用いてＤＲＸ期間が始まる先頭のＳＦＮ番号を求め、ＢＣＣＨ（報知制御チャネル）などにマッピングされるＳＦＮを基にＤＲＸ期間開始タイミングであるか否かを判断する。開始タイミングでなかった場合、ステップＳＴ１７７２に移行する。開始タイミングであった場合、ステップＳＴ１７５４へ移行する。ステップＳＴ１７５４にて移動端末は、ステップＳＴ１７０５にて受信したＭＢＭＳ／ユニキャスト混合セルにおけるメジャメント周期であるか否かを判断する。メジャメント周期でなかった場合、ステップＳＴ１７７２に移行する。メジャメント周期であった場合、ステップＳＴ１７５５へ移行する。ステップＳＴ１７５５にて移動端末は、周波数変換部１１０７（シンセサイザ）の設定周波数を変更し、中心周波数をｆ（Ｕｎｉｃａｓｔ）へ変更することによりＭＢＭＳ／ユニキャスト混合セルの下り信号を受信するようにする。ステップＳＴ１７５６にて移動端末は、ユニキャスト側（ユニキャストセルまたは／かつＭＢＭＳ／ユニキャスト混合セル）のメジャメントを実行する。実際に移動端末が測定する値としては、サービングセルと周辺セルのＲＳＲＰ、ＲＳＳＩなどが考えられる。周辺セルの情報は、周辺セル情報（リスト）としてサービングセルから報知される場合もある。
【００７７】
ステップＳＴ１７５７にて移動端末は、ステップＳＴ１７５６にて測定した結果、サービングセルの再選択（cell re-selection）が必要か否か判断する。判断の具体例としては、周辺セルの中の１つのセルの測定結果が、サービングセルの測定結果を上回った場合などが考えられる。再選択が必要ない場合、ステップＳＴ１７７１へ移行する。再選択が必要な場合、ステップＳＴ１７５８、１７５９が実行される。ステップ１７５８にて新しくサービングセルとして選択する基地局（新しいサービングセル:New serving cell）は、ステップＳＴ１７０５同様、ＢＣＣＨ（報知制御チャネル）にてメジャメント周期、間欠受信周期、トラッキングエリア情報（ＴＡ情報）を傘下の移動端末に対して報知する。ステップＳＴ１７５９にて移動端末は、移動端末は新しいサービングセルからのＢＣＣＨを受信しデコードすることによりメジャメント周期、間欠受信周期、ＴＡ情報を受信する。ステップＳＴ１７６１〜ステップＳＴ１７７０までの説明は、ステップＳＴ１７１０〜ステップＳＴ１７１９までの説明と同様であるために省略する。ステップＳＴ１７７１にて移動端末は、周波数変換部１１０７の設定周波数を変更し、中心周波数をｆ（ＭＢＭＳ）へ変更することによりＭＢＭＳ送信専用の周波数レイヤへ移動する。
【００７８】
ステップＳＴ１７５３〜ステップＳＴ１７７１までの「Ｕｎｉｃａｓｔ側メジャメント」処理により、移動端末は、ＭＢＭＳ送信専用の周波数レイヤにてＭＢＭＳサービスを受信中であっても、ユニキャストセルまたは／かつＭＢＭＳ／ユニキャスト混合セルのメジャメントが可能となる。これによりＭＢＭＳ送信専用の周波数レイヤにてＭＢＭＳサービスを受信中の移動端末が、ユニキャストセルまたは／かつＭＢＭＳ／ユニキャスト混合セルにおいてのモビリティを確保することが可能になるという効果を奏する。これにより、上りリンクが存在しないＭＢＭＳ専用セルにおけるモビリティをＭＢＭＳ／ユニキャスト混合セル経由にて確保することが可能になるという効果を得ることができる。また、ＭＢＭＳ送信専用周波数レイヤにてサービスを受信中の移動端末においてもユニキャストセルまたはＭＢＭＳ／ユニキャスト混合セルとの測定を通じた下り同期確立をメジャメント周期により行うことが可能となる。これにより、移動端末が、ユニキャスト／ミクスド周波数レイヤでメッセージを送信する場合であっても、制御遅延少なく実現可能となる効果を得ることが出来る。
【００７９】
次に、図１６で述べた「ＭＴＣＨ受信」について具体的に説明する。図２１のステップＳＴ１７７２にて移動端末は、ＭＣＣＨスケジューリング情報により、受信中のＭＢＳＦＮエリア番号のＭＣＣＨ受信タイミングであるか判断する。つまり、移動端末はステップＳＴ１７２５にて受信したＭＣＣＨ（マルチキャスト制御チャネル）のスケジューリングを用いて、ＭＣＣＨ受信タイミングであるか否か判断する。具体的には、ステップＳＴ１７２５にて受信するパラメータ例のＭＣＣＨ繰り返し期間、スターティングポイント値を用いてＭＣＣＨがマッピングされる先頭のＳＦＮ番号を求め、ＢＣＣＨなどにマッピングされるＳＦＮを基にＭＣＣＨがマッピングされる先頭であるか否かを判断することにより、ＭＣＣＨがマッピングされる先頭のＳＦＮ番号であるか否かを判断する。ＭＣＣＨの受信タイミングであった場合、ステップＳＴ１８４０へ移行する。ＭＣＣＨの受信タイミングでなかった場合、ステップＳＴ１８４１へ移行する。ステップＳＴ１８４０にて移動端末は、ＭＣＣＨの受信・デコードを行う。その後ステップＳＴ１８４２へ移行する。ステップＳＴ１８４１にて移動端末は、ステップＳＴ１７２５にて受信したＭＣＣＨのスケジューリングまたは／かつステップＳＴ１７２９にて受信したＭＢＭＳ  Ａｒｅａ情報を用いて、ＭＴＣＨ受信タイミングであるか否か判断する。ＭＴＣＨの受信タイミングであった場合、ステップＳＴ１８４３へ移行する。ＭＴＣＨの受信タイミングでなかった場合、ステップＳＴ１７５３へ移行する。ステップＳＴ１８４２にて移動端末は、ステップＳＴ１７２５にて受信したＭＣＣＨのスケジューリングまたは／かつステップＳＴ１７２９にて受信したＭＢＭＳ  Ａｒｅａ情報を用いて、ＭＴＣＨ受信タイミングであるか否か判断する。ＭＴＣＨの受信タイミングであった場合、ステップＳＴ１８４３へ移行する。ＭＴＣＨの受信タイミングでなかった場合、ステップＳＴ１７９４へ移行する。ステップＳＴ１８４３にて移動端末は、ＭＴＣＨの受信・デコードを行う。その後ステップＳＴ１７９４へ移行する。
【００８０】
図２１のＳＴ１７９４にて移動端末は、受信中のＭＢＭＳサービスの受信品質を測定する。移動端末は当該ＭＢＳＦＮエリアの無線リソースにてレファレンスシグナル(RS)を受信し、受信電力を測定する(RSRP)。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７９５へ移行し、閾値以下であればステップＳＴ１７９６へ移行する。またステップ１７９４にてレファレンスシグナルを受信し、受信電力を測定する代わりに、実際に当該ＭＢＳＦＮエリアのＭＢＭＳサービス（MTCHまたは/かつMCCH）を受信し、デコードを行うことも可能である。その場合、ユーザ自身がデコード後のデータを聞くあるいは見ることにより自分自身が許せる受信感度であるか否かを判断できる。許せる場合ステップＳＴ１７９５へ移行し、許せない場合ステップＳＴ１７９６へ移行する。許せる受信感度には、ユーザ毎に個人差があるので、よりユーザに適合した移動端末になるという効果を得ることが出来る。ステップＳＴ１７９５にて移動端末は、ユーザの意思を確認する。ユーザが受信中のＭＢＭＳサービスの受信を引き続き望んでいる場合には、ステップＳＴ１７５３へ移行する。ユーザが受信中のＭＢＭＳサービスの受信の終了を望んでいる場合には処理を終了する。ステップＳＴ１７９６にて移動端末は、同じ周波数内（ｆ（ＭＢＭＳ））にて受信可能な他のＭＢＭＳエリアが存在するか否か判断する。存在する場合は、ステップＳＴ１７３０へ戻り処理を繰り返す。存在しない場合はステップＳＴ１７９７へ移行する。ステップ１７９７にて移動端末は、ステップＳＴ１７０８にて受信した受信可能なＭＢＳＦＮ同期エリアの周波数リストにて他の周波数が存在するか否か判断する。存在した場合は、ステップＳＴ１７２２へ戻り、新たな周波数（ｆ２（ＭＢＭＳ））へシンセサイザを切り替えて処理を繰り返す。存在しない場合は、図１８のステップＳＴ１７２０へ戻り処理を繰り返す。
【００８１】
上記にて開示した移動体通信システムにて第一の課題であるＭＢＭＳ送信専用の周波数レイヤにて所望のサービスを選択するまでの方法、及びそのための移動体通信システムについて開示することが出来る。
【００８２】
変形例１
次に現在の３ＧＰＰの議論において、ＭＢＳＦＮ同期エリア中の基地局（セル）は複数のＭＢＳＦＮエリアを構成することもあるとされている。但し先にも述べたように、現在の３ＧＰＰにおいてはＭＢＳＦＮエリアの多重方法については詳細な決定がなされていない。本変形例１においては、そのような場合のＭＢＳＦＮエリアの多重方法の具体例を述べるとともに、本発明の第一の課題であるＭＢＭＳ送信専用の周波数レイヤにて所望のサービスを選択するまでの方法、及びそのための移動体通信システムについて開示することを目的とする。なお、実施の形態１と異なる部分を中心に説明し、実施の形態１と同様の部分の説明は省略する。
【００８３】
実施の形態１では、ＰＭＣＨの構成として、ＭＢＳＦＮエリア毎に時分割多重(TDM)、ＭＢＳＦＮエリア毎にコード分割多重(CDM)とする方法を開示した。本変形例1では、ＰＭＣＨの構成として、ＭＢＳＦＮエリア毎に時分割多重(TDM)とコード分割多重(CDM)とを混在させる方法を開示する。図２５に、ＭＢＳＦＮエリア毎に設けられたＰＭＣＨの構成を示す。図２５はＭＢＳＦＮエリア毎に時分割多重(TDM)とコード分割多重を混在させている。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃ｎ１、セル＃ｎ２、セル＃ｎ３のセルはＭＢＳＦＮエリア４内のセルでもある。図３５はＭＢＳＦＮ同期エリアを構成する複数のＭＢＳＦＮエリアを示す説明図であって、複数のＭＢＳＦＮエリアをカバーするＭＢＳＦＮエリアを示す説明図である。図３５において、１つのＭＢＳＦＮ同期エリア（MBSFN Synchronization Area）中にＭＢＳＦＮエリア１〜４が存在する。そのうち、ＭＢＳＦＮエリア４は、ＭＢＳＦＮエリア１〜３をカバーしている。ＭＢＳＦＮエリア１とＭＢＳＦＮエリア２とＭＢＳＦＮエリア３のＰＭＣＨは符号分割多重され、ＭＢＳＦＮエリア１、ＭＢＳＦＮエリア２、ＭＢＳＦＮエリア３のＰＭＣＨとＭＢＳＦＮエリア４のＰＭＣＨは時分割多重される。セル＃ｎ１のセルはＭＢＳＦＮエリア１に属するため、ＭＢＳＦＮエリア１に対応したＰＭＣＨがある時間に送信される。ＰＭＣＨはＭＢＳＦＮエリア内でマルチセル送信されるため、ＭＢＳＦＮサブフレーム上で送信される。
【００８４】
ＭＢＳＦＮサブフレームが割り当てられる無線フレームであるＭＢＳＦＮフレームの集合を「ＭＢＳＦＮフレームクラスタ」（MBSFN frame cluster）とする。ＭＢＭＳ専用セルではＭＢＳＦＮフレーム内全てのサブフレームを、マルチセル送信に用いられるＭＢＳＦＮサブフレームとしても良い。あるＭＢＳＦＮエリアに対応したＭＢＳＦＮフレームクラスタが繰り返される周期を「ＭＢＳＦＮフレームクラスタ繰り返し周期」（MBSFN frame cluster Repetition period）とする。ＰＭＣＨにはＭＢＭＳ用のトランスポートチャネルのＭＣＨがマッピングされ、ＭＣＨにはＭＢＭＳ用制御情報のロジカルチャネルＭＣＣＨと、ＭＢＭＳ用データのロジカルチャネルＭＴＣＨのいずれかあるいは両方がマッピングされる。ＭＣＣＨとＭＴＣＨは時間的に分割されてＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。各ＭＢＳＦＮフレームクラスタ上にＭＣＣＨがマッピングされても良いし、ＭＴＣＨのみでも良い。ＭＴＣＨのみが存在する場合、ＭＣＣＨの繰り返し周期は、ＭＢＳＦＮフレームクラスタの繰り返し周期と異なる。また、ＭＢＳＦＮフレームクラスタ上に複数のＭＣＣＨがマッピングされる場合も存在する。ＭＣＣＨの繰り返し周期を「MCCH Repetition period 1」とする。
【００８５】
図２５で、ＭＣＣＨ１はＭＢＳＦＮエリア１用のＭＢＭＳ制御情報で、ＭＴＣＨ１はＭＢＳＦＮエリア１用のＭＢＭＳデータである。セル＃ｎ１のセルはＭＢＳＦＮエリア１とＭＢＳＦＮエリア４に属するため、ＭＢＳＦＮエリア１のＰＭＣＨとＭＢＳＦＮエリア４のＰＭＣＨは時間分割多重される。同様に、セル＃ｎ２のセルはＭＢＳＦＮエリア２とＭＢＳＦＮエリア４に属するため、ＭＢＳＦＮエリア２のＰＭＣＨとＭＢＳＦＮエリア４のＰＭＣＨは時間分割多重され、セル＃ｎ３のセルはＭＢＳＦＮエリア３とＭＢＳＦＮエリア４に属するため、ＭＢＳＦＮエリア３のＰＭＣＨとＭＢＳＦＮエリア４のＰＭＣＨは時間分割多重される。 ＭＢＳＦＮエリア４のＰＭＣＨはＭＢＳＦＮエリア4でマルチセル送信されるため、PMCHの送信タイミングはセル＃ｎ１、＃ｎ２、＃ｎ３で全て同じである。このように、ＭＢＳＦＮエリア毎のＰＭＣＨを、時分割多重とコード分割多重を混在させることで、例えば、ＭＢＳＦＮエリア間で重複するＭＢＳＦＮエリアには時分割多重を、重複しないＭＢＳＦＮエリアにはコード分割多重を用いることが可能となる。従って、時間分割多重のみの場合に比べてコード分割多重を用いているため無線リソースの効率化が図れる。さらには、コード分割多重のみの場合に比べ、重複するＭＢＳＦＮエリア間での相互干渉を低減することが可能となり、移動端末でのＭＢＭＳデータの受信誤りの低減が図れる。
【００８６】
以下、図１８のステップＳＴ１７２５の具体例を示す。第一段階として移動端末は、前記専用のシーケンスにてＰ-ＳＣＨをブラインド検出する。Ｐ−ＳＣＨをブラインド検出した移動端末は、５ｍｓタイミング検出することができる。また、Ｐ−ＳＣＨはマルチセル送信である。ＭＢＳＦＮ同期エリア内に位置する基地局はマルチセル送信のための同期が取られている。よって、Ｐ−ＳＣＨのマルチセル送信は同期エリア内に含まれる基地局が対象となる。第二段階として移動端末は、Ｓ−ＳＣＨをブラインド検出する。Ｓ−ＳＣＨをブラインド検出した移動端末は１０ｍｓタイミング検出（フレーム同期）とＭＢＳＦＮエリアＩＤを知ることが出来る。またＳ−ＳＣＨはマルチセル送信である。本変形例では１つの基地局が複数のＭＢＳＦＮエリアに属するものとする。よって、Ｓ−ＳＣＨにマッピングされているＭＢＳＦＮエリアＩＤがいずれのＭＢＳＦＮエリアを指すものかが問題となる。この場合、Ｓ−ＳＣＨにマッピングされるＭＢＳＦＮエリアＩＤは基地局が属するいずれか１つのＭＢＳＦＮエリアＩＤとする。更には、基地局が属する最も小さい（覆われている）ＭＢＳＦＮエリアのＩＤとする。よってＳ−ＳＣＨのマルチセル送信は覆われている各ＭＢＳＦＮエリア内に含まれる基地局が対象となる。移動端末は、第二段階で得たＭＢＳＦＮエリアＩＤと関連付けられている拡散コードを用いてＢＣＣＨを受信する。ＢＣＣＨをデコードすることにより、ＭＣＣＨのスケジューリングを得ることが出来る。またＢＣＣＨはマルチセル送信である。第二段階で得られた拡散コードを用いることから、ＢＣＣＨは覆われているＭＢＳＦＮエリアからのＢＣＣＨとなる。よって、ＢＣＣＨのマルチセル送信は覆われている各ＭＢＳＦＮエリア内に含まれる基地局が対象となる。移動端末は、ＢＣＣＨをデコードすることにより、ＭＣＣＨのスケジューリング、ｆ（ＭＢＭＳ）におけるシステム帯域幅、送信アンテナ数などを得ることが出来る。
【００８７】
ここで更にＭＣＣＨのスケジューリングについて検討する。ＭＢＳＦＮ同期エリアは時間的に同期しているため、Ｐ−ＳＣＨはＭＢＳＦＮエリア１内のＭＢＭＳ専用セル、ＭＢＳＦＮエリア２内のＭＢＭＳ専用セル、ＭＢＳＦＮエリア３内のＭＢＭＳ専用セルとも同じタイミングで送信されている。また、前記ＭＢＭＳ送信専用の周波数レイヤ専用のシーケンスを用いるとすれば全てのＭＢＳＦＮエリア内のＰ−ＳＣＨのシーケンスは同じとなる。よって、Ｐ−ＳＣＨはＭＢＳＦＮ同期エリア内にて同じ情報を同じタイミングで送信されることになる。Ｓ−ＳＣＨによって、前記の通りＭＢＳＦＮエリアＩＤが送信されることが考えられている。したがって、Ｓ−ＳＣＨはＭＢＳＦＮエリア毎に異なる情報がＭＢＳＦＮ同期エリアにて同じタイミングで送信されることになる。この場合、各ＭＢＳＦＮエリア内の全ＭＢＭＳ専用セルからは同じ情報が同じタイミングで送信されることになる。Ｓ−ＳＣＨはＭＢＳＦＮ同期エリアにおいて周波数的、時間的に同じ無線リソースを用いる。またＳ−ＳＣＨに各ＭＢＳＦＮエリアの拡散コードに関連付けられたＭＢＳＦＮエリアＩＤのサーチのために用いられることから、Ｓ−ＳＣＨには各ＭＢＳＦＮエリアの拡散コードをかけることは出来ない。このようなＳ−ＳＣＨの機能を踏襲しつつ、１つの基地局が複数のＭＢＳＦＮエリアに属することを実現するためには、前記に示したとおり、覆っている方のＭＢＳＦＮエリア特有のＳ-ＳＣＨはないものとし、Ｓ−ＳＣＨにマッピングされるＭＢＳＦＮエリアＩＤを基地局が属する最も小さいＭＢＳＦＮエリアＩＤとすることで実現できる。
【００８８】
更に覆っているＭＢＳＦＮエリアからＳ−ＳＣＨの送信を行わないことは、地理的なロケーションとしては複数のＭＢＳＦＮエリアが重なっているが、重なっているＭＢＳＦＮエリア（例えばＭＢＳＦＮエリア１とＭＢＳＦＮエリア４）において、Ｓ−ＳＣＨを１種類のみ送信すればよいことになる。これにより、お互いのＭＢＳＦＮエリアからのＳ−ＳＣＨが干渉になることを防ぐことが出来るという効果を得ることができる。移動体通信システムは、Ｓ−ＳＣＨにて通知するＭＢＳＦＮエリアＩＤと関連付けられた拡散コードを用いて拡散処理を行ったＢＣＣＨを送信する。よってその場合ＢＣＣＨは、覆われているＭＢＳＦＮエリア毎に異なる情報がＭＢＳＦＮ同期エリアにて同じタイミングで送信されることになる。ＢＣＣＨの内容はＭＢＳＦＮエリア内の全ＭＢＭＳ専用基地局にて同じである。移動端末はＢＣＣＨをデコードすることによって、ＭＣＣＨのスケジューリングを取得することができる。現在の３ＧＰＰではＭＣＣＨのスケジューリングの具体例については議論されていない。本発明ではＭＣＣＨのスケジューリングの具体例を示す。
【００８９】
図２５を用いて、ＭＢＳＦＮフレームクラスタがＭＣＣＨ繰り返し周期より大きい場合における、ＭＣＣＨのスケジューリングについてあわせて説明する。覆っているＭＢＳＦＮエリア、例えば、図３５のＭＢＳＦＮエリア４のＭＣＣＨのスケジューリングとしては２段階を考える。以下の説明にて便宜上、移動端末がＭＢＳＦＮエリア１とＭＢＳＦＮエリア４に属する基地局の傘下にある場合を説明する。第１段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明では、「ＭＣＣＨがマッピングされる時間のスターティングポイント値」、「ＭＢＳＦＮフレームクラスタ繰り返し周期」、「ＭＢＳＦＮフレームクラスタ繰り返し周期内のＭＣＣＨ送信回数」を、ＭＣＣＨのスケジューリングのため、セルから端末に通知するものとする。更に具体的には、スターティングポイント値の指定にはＳＦＮ（System Frame Number）を用いる。スターティングポイント値を求める具体的な計算式は下記のとおりである。
スターティングポイント値＝（ＭＢＳＦＮフレームクラスタ内でＭＣＣＨがマッピングされる先頭のＳＦＮ番号）ｍｏｄ（ＭＢＳＦＮフレームクラスタ繰り返し周期）
【００９０】
更に具体的には、ＭＢＳＦＮフレームクラスタ繰り返し周期内のＭＣＣＨ送信回数としてＭＢＳＦＮフレームクラスタ内のＭＣＣＨ送信回数（以降、ＮＭＣＣＨと称する。）を用いる。ＮＭＣＣＨを求める具体的な計算式は下記のとおりである。
ＮＭＣＣＨ＝ＭＢＳＦＮフレームクラスタ／ＭＣＣＨ  繰り返し周期
図２５においては、ＭＢＳＦＮエリア１のスターティングポイント値１は、５ｍｏｄ１６＝５  あるいは、２１ｍｏｄ１６＝５ ・・・となる。ＭＢＳＦＮエリア２のスターティングポイント値２は、５ｍｏｄ１６＝５  あるいは、２１ｍｏｄ１６＝５ ・・・となる。ＭＢＳＦＮエリア３は同様である。次に、ＭＢＳＦＮエリア１のＮＭＣＣＨ1は１２／６＝２、ＭＢＳＦＮエリア２のＮＭＣＣＨ２は１２／４＝３となる。ＭＢＳＦＮエリア３の場合も同様に求められる。よってＭＢＳＦＮエリア１のＭＣＣＨのスケジューリングのパラメータはＭＢＳＦＮフレームクラスタ繰り返し周期１「１６」、スターティングポイント値１「５」、ＮＭＣＣＨ１「２」となる。この時ＮＭＣＣＨ１をパラメータとして通知する代わりに、ＭＢＳＦＮフレームクラスタ１とＭＣＣＨ繰り返し周期１を通知しても良い。
【００９１】
第二段階としてＭＢＳＦＮエリア１のＭＣＣＨにてＭＢＳＦＮエリア４のＭＣＣＨのスケジューリングが通知される。ＭＣＣＨのスケジューリングのパラメータの計算方法はＭＢＳＦＮフレームクラスタがＭＣＣＨ繰り返し周期より小さいので図２２の場合と同様である。ＭＢＳＦＮエリア４のスターティングポイント値４は、１ｍｏｄ１６＝１  あるいは、１７ｍｏｄ１６＝１・・・となる。ＭＣＣＨのスケジューリングの具体例は上記ＭＢＳＦＮエリア４（ＭＣＣＨ  繰り返し周期４「１６」、ステーティングポイント４「１」）のパラメータに加えて、覆っているＭＢＳＦＮエリア４のＭＢＳＦＮエリアＩＤを通知する。ＭＢＳＦＮエリア４専用のＳ−ＳＣＨが存在しないとするため、ここでＭＢＳＦＮエリアＩＤを通知する必要がある。
【００９２】
つまり、ＭＢＳＦＮエリア１から送信されるデータとしては次のようになる。ＭＢＭＳ送信専用の周波数レイヤ専用のシーケンスであるＰ−ＳＣＨ、ＭＢＳＦＮエリアＩＤ１などがマッピングされたＳ−ＳＣＨ１、ＭＣＣＨスターティングポイント値１「５」、ＭＢＳＦＮフレームクラスタ繰り返し周期１「１６」、ＮＭＣＣＨ１「２」などがマッピングされ、拡散コード１がかけられたＢＣＣＨ１、拡散コード１がかけられたＭＢＳＦＮエリア１のＭＣＣＨ１とＭＴＣＨ１が送信される。ＭＣＣＨ１ではＭＢＳＦＮエリアＩＤ（ＭＢＳＦＮエリア４）とＭＢＳＦＮエリア４のＭＣＣＨスケジューリングである、ＭＣＣＨスターティングポイント値４「１」、ＭＣＣＨ  繰り返し周期４「１６」が送信される。
【００９３】
ＭＢＳＦＮエリア１同様にＭＢＳＦＮエリア２から送信されるデータとしては、次のようになる。ＭＢＭＳ送信専用の周波数レイヤ専用のシーケンスであるＰ−ＳＣＨ、ＭＢＳＦＮエリアＩＤ２などがマッピングされたＳ−ＳＣＨ２、ＭＣＣＨスターティングポイント値２「５」、ＭＢＳＦＮフレームクラスタ繰り返し周期２「１６」、ＮＭＣＣＨ２「３」などがマッピングされ、拡散コード２がかけられたＢＣＣＨ２、拡散コード２がかけられたＭＢＳＦＮエリア２のＭＣＣＨ２とＭＴＣＨ２が送信される。ＭＣＣＨ２ではＭＢＳＦＮエリアＩＤ（ＭＢＳＦＮエリア４）とＭＢＳＦＮエリア４のＭＣＣＨスケジューリングである、ＭＣＣＨスターティングポイント値４「１」、ＭＣＣＨ  繰り返し周期４「１６」が送信される。ＭＢＳＦＮエリア４から送信されるデータとしては、先に説明したようにＰ−ＳＣＨ、Ｓ−ＳＣＨの送信はない。更に、ＭＢＳＦＮエリア４のシステム情報として、覆われているＭＢＳＦＮエリア（ＭＢＳＦＮエリア１〜３）のＢＣＣＨにて送信されたもの以外に通知するものがなければ、ＭＢＳＦＮエリア４からのＢＣＣＨの送信を省略することが出来る。これにより、無線リソースの有効活用という効果を得ることが出来る。拡散コードがかけられないＭＢＳＦＮエリア４のＭＣＣＨ４とＭＴＣＨ４が送信される。ＭＣＣＨ４とＭＴＣＨ４にＭＢＳＦＮエリア４特有の拡散コードをかけても良い。各ＭＢＳＦＮエリア間の干渉が抑制されるという効果を得ることが出来る。その場合、ＭＢＳＦＮエリア４特有の拡散コードは、ＭＢＳＦＮエリア１、ＭＢＳＦＮエリア２、ＭＢＳＦＮエリア３などのＭＣＣＨにて通知されたＭＢＳＦＮエリア４のＭＢＳＦＮエリア  ＩＤと関連付けられたものとする。これにより、更なるシグナリングが不要であるという効果を得ることができる。
【００９４】
図２５においては、便宜上、ＭＣＣＨとＭＴＣＨがサブフレーム単位で時分割されて例を示しているが、ＭＣＣＨとＭＴＣＨの多重方法が別の方法であっても、時分割多重の単位がサブフレーム単位以外であっても本発明は適用可能である。上記で説明した移動体通信システムにおいて、基地局が複数のＭＢＳＦＮエリアを構成する場合であっても、第一の課題であるＭＢＭＳ送信専用の周波数レイヤにて所望のサービスを選択するまでの方法、及びそのための移動体通信システムについて開示することが出来る。
【００９５】
上記においては、ＭＢＳＦＮエリア４のサービス内容はＭＣＣＨ４中のＭＢＭＳエリア情報中に含まれる。ここで、覆っているＭＢＳＦＮエリア（MBSFNエリア4、図35参照）のＭＣＣＨスケジューリング情報を、覆われているＭＢＳＦＮエリア（MBSFNエリア1-3、図35参照）のＭＣＣＨを用いて通知する際に、当該スケジューリング情報とあわせて、ＭＢＳＦＮエリア４のサービス内容を通知するようにしても良い。これにより、移動端末（ユーザ）は、覆われているＭＢＳＦＮエリアのＭＣＣＨをデコードした段階で、基地局が属する複数のＭＢＳＦＮエリアのサービス内容を把握することが可能となる。よって、基地局が属する複数のＭＢＳＦＮエリアのＭＣＣＨを順次、受信・デコードしＭＢＭＳサービス選択を行う必要がなくなり、制御遅延が削減出来るという効果を得ることができる。具体的には、図１９のステップＳＴ１７２９にて移動端末は、覆われているＭＢＳＦＮエリア（MBSFNエリア1-3、図35参照）のＭＣＣＨを介して、覆われているＭＢＳＦＮエリア（MBSFNエリア1-3、図35参照）のサービス内容と、覆っているＭＢＳＦＮエリア（MBSFNエリア4、図35参照）のサービス内容とを受信する。これにより、移動端末は、現在の位置（ロケーション）にて受信可能なＭＢＭＳのサービス内容を把握することができる。図１９のステップＳＴ１７３０にて移動端末は、所望のＭＢＭＳのサービス内容が送信されているＭＢＳＦＮエリアを確認する。
【００９６】
また、ＭＢＳＦＮエリア４のＭＣＣＨスケジューリングのため、ＭＢＳＦＮエリア１のＢＣＣＨにて通知する方法も考えられる。これにより、ＭＢＳＦＮエリア４のサービスを受信する移動端末にとっては、ＭＢＳＦＮエリア１のＭＣＣＨを受信しデコードする処理が不要となるので、制御遅延が減るという効果を得ることが出来る。ＭＣＣＨスケジューリングとして、上記スターティングポイント、ＭＢＳＦＮフレームクラスタ繰り返し周期、ＮＭＣＣＨ（ＭＢＳＦＮフレームクラスタとＭＣＣＨ繰り返し周期でもよい）を用いる方法は、ＭＢＳＦＮエリアが時分割多重された場合（図２２参照）のＭＢＳＦＮフレームクラスタ内に複数回ＭＣＣＨが存在した場合にも用いることが出来る。
【００９７】
変形例２
実施の形態１において、ＭＢＳＦＮエリア毎のサービス内容はＭＣＣＨ中のＭＢＭＳエリア情報中に含まれている。ここで、ＭＢＳＦＮエリア毎のサービス内容をＢＣＣＨにてＭＣＣＨのスケジューリングとともに通知するようにしても良い。これにより、移動端末（ユーザ）は、ＢＣＣＨをデコードした段階で、基地局が属するＭＢＳＦＮエリアのサービス内容が把握可能となる。よって、ＭＣＣＨの受信・デコード前に所望のサービスが存在するか否かの判断が可能となり、所望のサービスが行われていないＭＢＳＦＮエリアのＭＣＣＨを受信・デコードする必要がなくなり、制御遅延が削減出来るという効果を得ることができる。具体的には、図１８のステップＳＴ１７２５にて移動端末は、ＭＢＳＦＮエリアのサービス内容を受信する。これにより、移動端末は、現在の位置（ロケーション）にて受信可能なＭＢＭＳのサービス内容を把握することができる。その後、移動端末はステップ図１９のＳＴ１７２９に先立って、該当のＭＢＳＦＮエリアにてユーザ所望のサービスが行われているか確認する。所望のサービスが行われていた場合はステップＳＴ１７２９へ移行する。ステップＳＴ１７２９の後、ステップＳＴ１７３１へ移行する。一方、所望のサービスが行われていない場合はステップＳＴ１７２９及び、ステップＳＴ１７３１の処理を省略し、ステップＳＴ１７３３へ移行する。
【００９８】
更にＢＣＣＨにてＭＣＣＨにマッピングされるＭＢＭＳエリア情報、ＤＲＸ情報、ＭＢＭＳ受信時間欠受信用パラメータなどを合わせて通知するようにしても良い。これにより、ＭＣＣＨが不要となり無線リソースの効率化が図れる。よって、ＢＣＣＨにてＭＣＣＨのスケジューリングを通知する必要がなくなり、更に無線リソースの効率化が図れる。本変形例２は変形例１に対しても適応でき、同様に効果を得ることが出来る。
【００９９】
次に３ＧＰＰにおいて、ＭＢＭＳ送信専用の周波数レイヤにおいて、シングルセル送信（Single-cell transmission）を適用することも検討されている。その方法として、シングルセル送信を１セル構成のＭＢＳＦＮエリアで実現する方法が考えられる。しかし、具体的な実現方法については確定していない。上記説明においてＭＢＳＦＮエリアに属する基地局を１つとすれば、シングルセル送信を１セル構成のＭＢＳＦＮエリアで実現する移動体通信システムを開示することが出来る。
【０１００】
実施の形態２．
本実施の形態２においては、主にＭＢＭＳサーチ部分にて実施の形態１とは異なる移動体通信システムについて開示する。本実施の形態２にかかる移動体通信システムとしての処理の流れは、実施の形態１の図１６、図１７とほぼ同様である。説明においては、実施の形態１と異なる部分を中心に説明する。図１７のステップＳＴ１７０７にてユニキャストセル、またはユニキャスト／ＭＢＭＳ混合セルはＢＣＣＨを用いて、現在のユニキャスト／ミクスド周波数レイヤ以外の周波数でＭＢＭＳサービスが行われている１つあるいは複数の周波数を、傘下の移動端末に対して報知する。つまり受信可能なＭＢＳＦＮ同期エリアの周波数（ｆ（ＭＢＭＳ））を１つあるいは複数報知する。それに加えて、各ｆ（ＭＢＭＳ）におけるシステム帯域幅、送信アンテナ数のいずれか一方、あるいは両方を通知する。図１７のステップＳＴ１７０８にて、移動端末は、サービング基地局からのＢＣＣＨを受信しデコードすることにより、ｆ（ＭＢＭＳ）、各ｆ（ＭＢＭＳ）におけるシステム帯域幅、送信アンテナ数を受信する。あわせてｆ（ＭＢＭＳ）毎にユニキャスト／ＭＢＭＳ混合セルにて構成された周波数レイヤであるか、ＭＢＭＳ専用セルにて構成された周波数レイヤであるかという情報を通知してもよい。これによりユニキャスト／ＭＢＭＳ混合セルにて構成された周波数レイヤと、ＭＢＭＳ専用セルにて構成された周波数レイヤにて、移動端末の動作を変更することが可能となる。具体的な動作としては、ＭＢＭＳサーチ動作がある。ユニキャスト／ＭＢＭＳ混合セルにおいては、ユニキャストサービスを提供することから、ユニキャストサービスにて用いるＰ−ＳＣＨ、Ｓ−ＳＣＨなどを削減することは難しい。したがって、ユニキャスト／ＭＢＭＳ混合セルにて構成された周波数レイヤのＭＢＭＳサーチ動作は、実施の形態１で説明した方法を用いる。一方、ＭＢＭＳ専用セルにおいてはユニキャストサービスを提供しないことからＰ−ＳＣＨ、Ｓ−ＳＣＨなどを削減することは、ユニキャスト／ＭＢＭＳ混合セルと比較して制約事項が少ない。よってＭＢＭＳ専用セルにて構成された周波数レイヤのＭＢＭＳサーチ動作は以下説明する処理を適用する。
【０１０１】
実施の形態２では、図１８のステップＳＴ１７２３〜ステップＳＴ１７２５を図２６の通りに変更する。図２６は、ＭＢＭＳのサーチ方法を示すフローチャートである。図２６において、ステップＳＴ２２０１にて、ＭＢＭＳ  ＧＷ８０２、更に具体的にはＭＢＭＳ  ＣＰ８０２−１がＭＣＥ８０１に対して、ＭＢＳＦＮ同期エリア内でマルチセル送信される物理チャネル(メインＰＭＣＨと称す)の内容を通知する。メインＰＭＣＨはＭＢＳＦＮ同期エリア内にてマルチセル送信されることからＭＢＳＦＮ同期エリア内の基地局から同じ無線リソースを使って、同じ情報が送信される必要がある。よって、ＭＢＭＳ  ＧＷはステップＳＴ２２０１にてメインＰＭＣＨの内容を通知するのとあわせて、無線リソース（周波数、時間など）的なスケジューリング情報を通知する。
【０１０２】
図２７は、ＭＢＳＦＮ同期エリア内のメインＰＭＣＨの構成を示す説明図である。図２７は、ＭＢＳＦＮエリア毎に設けられたＰＭＣＨが時分割多重及び符号分割多重により多重化された場合について示している。セル＃ｎ１はＭＢＳＦＮエリア１内のセル、セル＃ｎ２はＭＢＳＦＮエリア２内のセル、セル＃ｎ３はＭＢＳＦＮエリア３内のセルである。また、セル＃ｎ１、セル＃ｎ２、セル＃ｎ３のセルはＭＢＳＦＮエリア４内のセルでもある。ＭＢＳＦＮエリア１からＭＢＳＦＮエリア３のＰＭＣＨは符号分割多重され、さらにＭＢＳＦＮエリア４のＰＭＣＨと時分割多重される。メインＰＭＣＨは、ＭＢＳＦＮエリア毎のＰＭＣＨと時分割多重される。セル＃ｎ１では、ＭＢＳＦＮエリア１とＭＢＳＦＮエリア４に属するため、ＰＭＣＨ１とＰＭＣＨ４は時分割多重され、さらにメインＰＭＣＨが時分割多重されて設けられることになる。セル＃２、セル＃３でも同様である。メインＰＭＣＨはＭＢＳＦＮ同期エリア内でマルチセル送信されるため、ＳＦＮ合成がなされるＭＢＳＦＮサブフレーム上で送信される。ＭＢＳＦＮサブフレームが割り当てられるＭＢＳＦＮフレームの集合をＭＢＳＦＮフレームクラスタとする。ＭＢＭＳ専用セルではＭＢＳＦＮフレーム内全てのサブフレームをマルチセル送信に用いられるＭＢＳＦＮサブフレームとしても良い。メインＰＭＣＨが繰り返される周期をメインＰＭＣＨ繰り返し周期とする。
【０１０３】
メインＰＭＣＨにはＭＢＭＳ用のトランスポートチャネルのＭＣＨがマッピングされる。ＭＣＨにはＭＢＭＳ用制御情報のロジカルチャネルＭＣＣＨ、ＭＢＭＳ用データのロジカルチャネルＭＴＣＨがマッピングされる。ＭＣＣＨとＭＴＣＨは時間的に分割されてメインＰＭＣＨ上にマッピングされても良いし、さらに時間的に分割されてマルチセル送信される物理領域にマッピングされても良い。例えば、ＭＴＣＨとＭＣＣＨが、結果としてマッピングされる物理領域であるＭＢＳＦＮサブフレームが異なっていても良い。メインＰＭＣＨが送信される各ＭＢＳＦＮフレームクラスタにＭＣＣＨがマッピングされても良いし、ＭＴＣＨのみでも良い。ＭＴＣＨのみが存在する場合、ＭＣＣＨの繰返し周期はメインＰＭＣＨの繰返し周期と異なる。また、メインＰＭＣＨが送信されるＭＢＳＦＮフレームクラスタ上に複数のＭＣＣＨがマッピングされる場合も存在する。
【０１０４】
図２７で、ＭＣＣＨ１はＭＢＳＦＮエリア１用のＭＢＭＳ制御情報で、ＭＴＣＨ１はＭＢＳＦＮエリア１用のＭＢＭＳデータである。ＭＣＣＨ２はＭＢＳＦＮエリア２用のＭＢＭＳ制御情報で、ＭＴＣＨ２はＭＢＳＦＮエリア２用のＭＢＭＳデータである。ＭＣＣＨ３はＭＢＳＦＮエリア３用のＭＢＭＳ制御情報で、ＭＴＣＨ３はＭＢＳＦＮエリア３用のＭＢＭＳデータである。ＭＣＣＨ４はＭＢＳＦＮエリア４用のＭＢＭＳ制御情報で、ＭＴＣＨ４はＭＢＳＦＮエリア４用のＭＢＭＳデータである。各ＰＭＣＨ上に各々ＭＣＣＨがマッピングされても良いし、ＭＴＣＨのみでも良い。ＭＴＣＨのみが存在する場合、各々のＭＢＳＦＮエリアのＭＣＣＨは、メインＰＭＣＨにマッピングされても良い。また、メインＰＭＣＨにマッピングされるＭＣＣＨの情報要素として含まれても良い。メインＰＭＣＨはＭＢＳＦＮ同期エリア内でマルチセル送信されるため、メインＰＭＣＨにおいては、各ＭＢＳＦＮエリアでＰＭＣＨが拡散されているように、ＭＢＳＦＮエリア固有のスクランブリングコードを乗じることが不可能である。なぜならば、異なるＭＢＳＦＮエリアのセルからメインＰＭＣＨは同じタイミングで送信されているため、メインＰＭＣＨにおいて、ＭＢＳＦＮエリア固有の拡散コードで拡散した場合、移動端末の受信機において、各ＭＢＳＦＮエリアから送信された該メインＰＭＣＨの位相がランダムになってしまいＳＦＮ合成できなくなるためである。従って、上記に示したように、メインＰＭＣＨと各ＭＢＳＦＮエリアのＰＭＣＨとを時分割多重することで、各ＭＢＳＦＮエリア固有のスクランブリングコードを乗じるのをサブフレーム単位で行うようにでき、メインＰＭＣＨのみに各ＭＢＳＦＮエリア固有のスクランブリングコードを乗じないようにできる。これにより、メインＰＭＣＨはＭＢＳＦＮ同期エリア内でマルチセル送信されることができ、移動端末は該ＭＢＳＦＮ同期エリア内のどのＭＢＭＳサービスを受信している、もしくは受信しようとしていても、メインＰＭＣＨを受信することができ、さらにはＳＦＮ利得を得ることが可能となる。メインＰＭＣＨにおいては、固有のスクランブリングコードを乗じないことを述べたが、ＭＢＳＦＮ同期エリア固有のスクランブリングコードであれば乗じても良い。この場合、他のＭＢＳＦＮ同期エリア内セルからの干渉を抑圧でき、移動端末におけるＭＢＭＳサービスの受信誤差を低減することが可能となる。ＭＢＳＦＮ同期エリア固有のスクランブリングコードは、静的（Static）に規定されていても良いし、準静的（Semi-Static）に規定されサービング基地局からのＢＣＣＨにマッピングされステップＳＴ１７０５にて移動端末に通知されても良い。
【０１０５】
さらに図２６のステップＳＴ２２０１における、メインＰＭＣＨの無線リソース（周波数、時間など）のスケジューリングについて説明する。周波数のスケジューリングの具体例としては周波数、帯域などがある。時間のスケジューリングの具体例を図２７を用いて説明する。メインＰＭＣＨのスケジューリングのため、メインＰＭＣＨがマッピングされる時間のスターティングポイント値とメインＰＭＣＨ繰り返し周期を通知することを考える。更に具体的には、スターティングポイント値の指定にはＳＦＮ（System Frame Number）を用いる。メインＰＭＣＨスターティングポイント値を求める具体的な計算式は下記のとおりである。
メインＰＭＣＨ  スターティングポイント値＝（メインＰＭＣＨがマッピングされる先頭のＳＦＮ番号）ｍｏｄ（メインＰＭＣＨ  繰り返し周期）
【０１０６】
図２７においては、メインＰＭＣＨスターティングポイント値は、１ｍｏｄ１１＝１、あるいは、１２ｍｏｄ１１＝１・・・となりメインＰＭＣＨのスケジューリングのパラメータはメインＰＭＣＨ繰り返し周期１「１１」、メインＰＭＣＨスターティングポイント値「１」となる。
【０１０７】
次に、図２６のステップＳＴ２２０１におけるメインＰＭＣＨの内容の具体例について説明する。メインＰＭＣＨにて通知される情報の具体例としては、ＭＢＳＦＮ同期エリア内に存在する全ＭＢＳＦＮエリアの番号（ＩＤ、識別子）、各ＭＢＳＦＮエリアのＭＣＣＨのスケジューリング、ＤＲＸ情報などが考えられる。ＤＲＸ情報の詳細説明は、実施の形態１と同様であるので省略する。ＤＲＸ情報は、各ＭＢＳＦＮエリアのＭＣＣＨで通知しても同じ効果を得ることが出来る。更には、ＤＲＸ情報をサービングセルのＢＣＣＨにマッピングし、図１７のステップＳＴ１７０５にて移動端末に通知しても同じ効果を得ることが出来る。更には、ＤＲＸ情報を、静的に規定された値としても同じ効果を得ることが出来る。静的に規定した値とした場合、ネットワーク側から移動端末に対して値を通知する必要がないので無線リソースの有効活用という効果を得ることができる。各ＭＢＳＦＮエリアのＭＣＣＨのスケジューリングについても実施の形態１と同様である。図２７においては、ＭＢＳＦＮエリア１のＭＣＣＨのスケジューリング情報（パラメータ）として、ＭＣＣＨ繰り返し周期１「１１」、ＭＣＣＨスターティングポイント値１「２」となる。ＭＢＳＦＮエリア２、ＭＢＳＦＮエリア３、ＭＢＳＦＮエリア４のＭＣＣＨのスケジューリング情報（パラメータ）としてもＭＢＳＦＮエリア１と同様である。ここで、メインＰＭＣＨにＭＢＳＦＮ同期エリア内の全ＭＢＳＦＮエリアのＭＣＣＨスケジューリングをマッピングすることにより、メインＰＭＣＨをＭＢＳＦＮ同期エリア内でマルチセル送信することが可能となる。
【０１０８】
図２６のステップＳＴ２２０２にて、ＭＣＥはＭＢＭＳ  ＧＷよりメインＰＭＣＨの内容及びスケジューリング情報を受信する。ステップＳＴ２２０３にて、ＭＣＥは、当該ＭＣＥが制御を司るＭＢＳＦＮエリアに属する基地局に対してメインＰＭＣＨの内容及びスケジューリング情報を送信する。ステップＳＴ２２０４にて、基地局は、メインＰＭＣＨの内容及びスケジューリング情報を受信する。ステップＳＴ２２０５にて、基地局は、ＭＣＥからのスケジューリングに従い、メインＰＭＣＨを送信する。
【０１０９】
ステップＳＴ２２０６にて、移動端末はＭＢＭＳのサーチを行う。ステップＳＴ２２０６においては特にタイミング同期を行う。メインＰＭＣＨの一部に規定の情報をマッピングする。これにより、移動端末は前記メインＰＭＣＨの規定の情報をブラインド検出することによりタイミング同期を確立する。実施の形態１においては、タイミング同期をＭＢＭＳ送信専用の周波数レイヤにおけるＰ−ＳＣＨ、Ｓ−ＳＣＨにて行っていたが、本実施の形態２ではＰ−ＳＣＨ、Ｓ−ＳＣＨを用いることなく実現できる。よって本実施の形態２のＭＢＭＳサーチ方法により、ＭＢＭＳ送信専用の周波数レイヤ（ＭＢＭＳ専用基地局）におけるＰ−ＳＣＨ、Ｓ−ＳＣＨを削減することが可能となる。これにより無線リソースの有効活用という効果を得ることが出来る。ステップＳＴ２２０７にて、移動端末は、ステップＳＴ２２０６にて検出したメインＰＭＣＨの受信・デコードを行う。移動端末はメインＰＭＣＨにマッピングされた全ＭＢＳＦＮエリアＩＤ、各ＭＢＳＦＮエリアのＭＣＣＨのスケジューリング、ＤＲＸ情報を受信する。
【０１１０】
また実施の形態１にてＢＣＣＨにマッピングされていた情報としては、ＭＣＣＨのスケジューリング、ｆ（ＭＢＭＳ）におけるシステム帯域幅、ｆ（ＭＢＭＳ）における送信アンテナ数、ＳＦＮなどがある。実施の形態２においては、ＭＣＣＨスケジューリングはメインＰＭＣＨにマッピングする。またｆ（ＭＢＭＳ）におけるシステム帯域幅、ｆ（ＭＢＭＳ）における送信アンテナ数は、ユニキャストセル、ユニキャスト／ＭＢＭＳ混合セルはＢＣＣＨにマッピングする。ここで、ＳＦＮをメインＰＭＣＨにマッピングすることにより、ＭＢＭＳ送信専用周波数レイヤ（ＭＢＭＳ専用セル）からのＢＣＣＨ送信を削減することが可能となる。これにより無線リソースの有効活用という効果を得ることが出来る。更にＳＦＮを受信するためにメインＰＭＣＨとは別のチャネルであるＢＣＣＨを受信する必要がなくなる。よって移動端末の制御負荷が軽減され、制御遅延の削減及び移動端末の低消費電力化という効果を得ることが出来る。図１８のステップＳＴ１７２６以降の処理は、実施の形態１と同様であるため詳細な説明を省略する。図１９のステップＳＴ１７２９において、移動端末が各ＭＢＳＦＮエリアのＭＣＣＨを受信・デコードすることにより得るＭＢＭＳサービス用の制御情報には、ＭＢＭＳエリア情報、ＭＢＭＳ受信時間欠受信用パラメータなどがある。ＭＢＭＳエリア情報の具体例としては、各エリアのフレーム構成（ＭＢＳＦＮフレームクラスタ、ＭＢＳＦＮサブフレーム）、サービス内容、ＭＴＣＨの変調情報などが考えられる。
【０１１１】
また、実施の形態１で説明した、図１８のステップＳＴ１７２３〜ステップＳＴ１７２５を用いても良い。その場合、ＭＢＭＳ送信専用の周波数レイヤからのＢＣＣＨにて実施の形態１のＭＣＣＨのスケジューリングの代わりに、メインＰＭＣＨのスケジューリング情報を通知としてもよい。これにより、図２６のステップＳＴ２２０６のブラインド検出が不要となる。これにより移動端末の処理負荷削減および低消費電力化という効果を得ることができる。
【０１１２】
変形例１
実施の形態２において、ＭＢＳＦＮエリア毎のサービス内容はＭＣＣＨ中のＭＢＭＳエリア情報中に含まれている。ここで、ＭＢＳＦＮエリア毎のサービス内容をメインＰＭＣＨにてＭＣＣＨのスケジューリングとともに通知するようにしても良い。これにより、移動端末（ユーザ）は、メインＰＭＣＨをデコードした段階で、各ＭＢＳＦＮエリアのサービス内容が把握可能となる。よって、ＭＣＣＨの受信・デコード前に所望のサービスが存在するか否かの判断が可能となり、所望のサービスが行われていないＭＢＳＦＮエリアのＭＣＣＨを受信・デコードする必要がなくなり、制御遅延が削減出来るという効果を得ることができる。具体的には、図２６のステップＳＴ２２０７にて移動端末は、各ＭＢＳＦＮエリアのサービス内容を受信する。これにより、移動端末は、各ＭＢＳＦＮエリアのサービス内容を把握することができる。その後、移動端末は、図１９のステップＳＴ１７２９に先立って、ユーザ所望のサービスが行われているＭＢＳＦＮエリアを検索する。所望のサービスが行われているＭＢＳＦＮエリアが存在する場合には、該当のＭＢＳＦＮエリアのＭＣＣＨを受信すべく、該当のＭＢＳＦＮエリアのＭＣＣＨスケジューリングに従ってステップＳＴ１７２９を実行する。一方、所望のサービスが行われているＭＢＳＦＮエリアが存在しない場合は、図１９のステップＳＴ１７２９、ステップＳＴ１７３０、ステップＳＴ１７３３の処理を省略し、ステップＳＴ１７３４へ移行する。
【０１１３】
更に、メインＰＭＣＨにて各ＭＣＣＨにマッピングされるＭＢＭＳエリア情報、ＭＢＭＳ受信時間欠受信用パラメータなどを合わせて通知するようにしても良い。これにより、各ＭＢＳＦＮエリア毎のＭＣＣＨが不要となり無線リソースの効率化が図れる（図２８参照）。よって、メインＰＭＣＨにて各ＭＢＳＦＮエリアのＭＣＣＨのスケジューリングを通知する必要がなくなり、更に無線リソースの効率化が図れる。また、移動端末が各ＭＢＳＦＮエリア毎のＭＣＣＨを受信する必要がなくなるので、移動端末の負荷軽減及び低消費電力化がはかれるという効果を得ることができる。
【０１１４】
変形例２
実施の形態２における、図２６のステップＳＴ２２０１〜ステップＳＴ２２０７に変わって、変形例２では以下の処理を行う。本変形例２にかかる移動体通信システムとしての処理の流れは、実施の形態２で説明したものとほぼ同様である。説明においては、実施の形態２と異なる部分を中心に説明する。変形例２では、図２６のステップＳＴ２２０１〜ステップＳＴ２２０７を図２９の通りに変更する。図２９のステップＳＴ２５０１にて、移動端末は、ＭＢＭＳのサーチを行う。ステップＳＴ２５０１にて移動端末はタイミング同期を行う。各ＭＢＳＦＮエリア毎のＭＣＣＨの一部に規定の情報をマッピングする。これにより、移動端末は各ＭＢＳＦＮエリアの規定の情報をブラインド検出することによりタイミング同期を確立する。ブラインド検出に用いる規定の情報には、各ＭＢＳＦＮエリア固有のスクランブリングコードはかけないことにより、移動端末のブラインド検出が可能となる。よって、各ＭＢＳＦＮエリアの多重方法は、時分割多重が本変形例２と親和性が高い（図２２参照）。実施の形態１においてはタイミング同期をＭＢＭＳ送信専用の周波数レイヤにおけるＰ−ＳＣＨ、Ｓ−ＳＣＨにて行っていたが、本実施の形態２ではＰ−ＳＣＨ、Ｓ−ＳＣＨを用いることなく実現できる。よって本実施の形態２のＭＢＭＳサーチ方法により、ＭＢＭＳ送信専用の周波数レイヤ（ＭＢＭＳ専用基地局）におけるＰ−ＳＣＨ、Ｓ−ＳＣＨを削減することが可能となる。更には、実施の形態２においてはタイミング同期をメインＰＭＣＨにて行っていたが、本変形例２では各ＭＢＳＦＮエリア毎のＭＣＣＨにて行うことになる。これにより、移動端末の現在の位置（ロケーション）にて受信可能なＭＢＳＦＮエリアのＭＣＣＨによってのみタイミング同期を行うことになる。よって、ステップＳＴ１７３１においてＭＢＭＳサービスを受信するのに満足な感度を満たしていないと判断されることが実施の形態１及び実施の形態２と比較して少なくなる。これにより移動体通信システムとしての制御遅延を削減できると言う効果を得ることができる。図２９のステップＳＴ２５０２にて移動端末は、ステップＳＴ２５０１にて検出したＭＢＳＦＮエリアのＭＣＣＨの受信・デコードを行う。移動端末はＭＣＣＨにマッピングされたＭＢＭＳサービス用の制御情報を受信する。制御情報の具体例としては、ＭＢＭＳエリア情報、ＭＢＭＳ受信時間欠受信用パラメータなどがある。ＭＢＭＳエリア情報として、各エリアのフレーム構成（ＭＢＳＦＮフレームクラスタ、ＭＢＳＦＮサブフレーム、）サービス内容、ＭＴＣＨの変調情報などが考えられる。
【０１１５】
図１９のステップＳＴ１７３０にて移動端末は、ＭＢＭＳエリア情報に含まれるサービス内容を確認する。当該ＭＢＳＦＮエリアにてユーザ所望のサービスが行われている場合は、ステップＳＴ１７３１へ移行する。ユーザ所望のサービスが行われていない場合は、図２９のステップＳＴ２５０３へ移行する。ステップＳＴ１７３１にて移動端末は当該ＭＢＳＦＮエリアの無線リソースにてＲＳを受信し、受信電力を測定する（ＲＳＲＰ）。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７３２へ移行し、閾値以下であればステップＳＴ２５０３へ移行する。ステップＳＴ２５０３にて移動端末は、ステップＳＴ２５０１同様の方法にてＭＢＭＳのサーチを行う。ステップＳＴ２５０４にて、移動端末は、ステップ１７３０にて所望のサービスが行われていないＭＢＳＦＮエリア、あるいは、ステップＳＴ１７３１にてＭＢＭＳサービスを受信するのに満足な感度を満たしていないと判断されたＭＢＳＦＮエリア以外のＭＢＳＦＮエリアのタイミング同期がとれたか否か判断する。別のＭＢＳＦＮエリアのタイミング同期がとれた場合は、ステップＳＴ２５０２へ移行する。別のＭＢＳＦＮエリアのタイミング同期が取れない場合は、ステップＳＴ１７３４へ移行する。更に各ＭＣＣＨにてメインＰＭＣＨにマッピングされるＤＲＸ情報、ＳＦＮなどを合わせて通知するようにしても良い。これにより、メインＰＭＣＨが不要となり無線リソースの効率化が図れる。
【０１１６】
実施の形態３．
本実施の形態３においては、主にＤＲＸ情報にて実施の形態１とは異なる移動体通信システムについて開示する。本実施の形態３にかかる移動体通信システムとしての処理の流れは、実施の形態１の図１６、図１７とほぼ同様である。説明においては、実施の形態１と異なる部分を中心に説明する。実施の形態１ではＭＢＳＦＮ同期エリア内で一つのＤＲＸ期間を設けていたが（図２４参照）、本実施の形態３ではＭＢＳＦＮエリア内で一つのＤＲＸ期間を設ける。本実施の形態３におけるＤＲＸ期間としては、該当のＭＢＳＦＮエリアからのＭＢＭＳサービス送信ＯＦＦの期間をいうこととする。具体例について図３０及び図３１を用いてＤＲＸ情報について説明する。初めに図３０を用いて説明する。図３０は、ＭＢＳＦＮエリア毎のＰＭＣＨ構成を示す説明図である。ＭＢＳＦＮエリア１からのＭＢＭＳサービスを受信中の移動端末にとってのＤＲＸ期間はＤＲＸ期間１、ＤＲＸ周期はＤＲＸ周期１となる。ＤＲＸ情報の具体的なパラメータ例について説明する。具体的には、ＤＲＸ期間、ＤＲＸ周期、スターティングポイント値（ＤＲＸ）が考えられる。ＤＲＸ期間１は「６」無線フレームとなる。またＤＲＸ周期１は「９」無線フレームとなる。更にＤＲＸ期間が始まるスターティングポイント値（ＤＲＸ）の指定にはＳＦＮを用いる。スターティングポイント値（ＤＲＸ）を求める具体的な計算式は下記のとおりである。
スターティングポイント値（ＤＲＸ）＝（ＤＲＸ期間が始まる先頭のＳＦＮ番号）ｍｏｄ（ＤＲＸ周期）、スターティングポイント値１（ＤＲＸ）は、４ｍｏｄ９＝４  あるいは  １３ｍｏｄ９＝４・・・となる。
ＭＢＳＦＮエリア２からのＭＢＭＳサービスを受信中の移動端末にとってのＤＲＸ期間はＤＲＸ期間２、ＤＲＸ周期はＤＲＸ周期２となる。ＤＲＸ期間２は「６」無線フレームとなる。またＤＲＸ周期２は「９」無線フレームとなる。スターティングポイント値２（ＤＲＸ）は、７ｍｏｄ９＝７  あるいは  １６ｍｏｄ９＝７・・・となる。ＭＢＳＦＮエリア３からのＭＢＭＳサービスを受信中の移動端末にとってのＤＲＸ情報も同様となる。
【０１１７】
次に図３１を用いて説明する。ＭＢＳＦＮエリア１からのＭＢＭＳサービスを受信中の移動端末にとってのＤＲＸ期間はＤＲＸ期間１、ＤＲＸ周期はＤＲＸ周期１となる。ＤＲＸ期間１は「４」無線フレームとなる。またＤＲＸ周期１は「１６」無線フレームとなる。スターティングポイント値１（ＤＲＸ）は、１ｍｏｄ１６＝１  あるいは  １７ｍｏｄ１６＝１・・・となる。ＭＢＳＦＮエリア２、ＭＢＳＦＮエリア３からのＭＢＭＳサービスを受信中の移動端末にとってのＤＲＸ情報も同様となる。ＭＢＳＦＮエリア４からのＭＢＭＳサービスを受信中の移動端末にとってのＤＲＸ期間はＤＲＸ期間４、ＤＲＸ周期はＤＲＸ周期４となる。ＤＲＸ期間４は「１２」無線フレームとなる。またＤＲＸ周期４は「１６」無線フレームとなる。スターティングポイント値４（ＤＲＸ）は、５ｍｏｄ１６＝５  あるいは  ２１ｍｏｄ１６＝５・・・となる。実施の形態２で説明したメインＰＭＣＨがあるときは、それぞれのＭＢＳＦＮエリアのＭＢＭＳサービスを受信中の移動端末であってもメインＰＭＣＨを受信する必要があるために、それぞれのＭＢＳＦＮエリア毎のＤＲＸ期間からメインＰＭＣＨの送信期間は除く。
【０１１８】
移動端末は、ＭＢＳＦＮエリア毎に設けられたＤＲＸ期間を用いてユニキャスト／ミクスド周波数レイヤのメジャメントを行うことが可能となる。これにより、第二の課題である、上りリンクが存在しないＭＢＭＳ専用基地局で構成されたＭＢＭＳ送信専用の周波数レイヤにてＭＢＭＳサービスを受信中であってもユニキャスト／ミクスド周波数レイヤ経由における移動端末のモビリティ管理が可能となる効果を得ることが出来る。
【０１１９】
更にＭＢＭＳ送信専用の周波数レイヤのＤＲＸ周期及びＤＲＸ期間の情報をいずれかの経路を通じてユニキャスト／ミクスドレイヤ側の制御装置（基地局、ＭＭＥ、ＰＤＮＧＷなど）に通知せずに、ＭＢＭＳサービスの受信を中断することなく、ネットワーク側から通知されたユニキャスト／ミクスド周波数レイヤのメジャメント周期を満足することが可能とするためは本発明では実施の形態１同様、以下の方法を開示する。ＭＢＭＳ送信専用の周波数レイヤにおけるＤＲＸ周期をユニキャスト／ミクスド周波数レイヤでとり得るメジャメント周期の最小値あるいは最小値の約数とする。ＭＢＭＳ送信専用の周波数レイヤにてＭＢＭＳサービスを受信中の移動端末に対して設定可能なメジャメント周期がユニキャスト／ミクスド周波数レイヤで取り得るメジャメント周期と異なる場合は、ＤＲＸ周期は、ＭＢＭＳ送信専用の周波数レイヤにてＭＢＭＳサービスを受信中の移動端末に対して設定可能なメジャメント周期、あるいは前記メジャメント周期の最小値、あるいは前記メジャメント周期の最小値の約数とする。これにより第三の課題を解決することが出来る。
【０１２０】
図１９のステップＳＴ１７２９にて移動端末は、ＤＲＸ情報を受信する。各ＭＢＳＦＮエリア毎にＤＲＸ情報が異なるために、各ＭＢＳＦＮエリアのＭＣＣＨにＤＲＸ情報をマッピングすることは移動端末が不要な情報（他のＭＢＳＦＮエリアのＤＲＸ情報）を受信することを防ぐことができる。これにより、移動端末の処理負荷の軽減、低消費電力化という効果を得ることが出来る。ただし、ＭＢＭＳ送信専用の周波数レイヤにおけるＢＣＣＨ、あるいはメインＰＭＣＨにＤＲＸ情報をマッピングしても実施の形態３同様の効果を得ることが出来る。
【０１２１】
実施の形態３の移動体通信システムは、実施の形態１で開示した移動体通信システムと比較し以下の効果を得ることが出来る。実施の形態１においてはＭＢＳＦＮ同期エリア内で一つのＤＲＸ期間を設ける（図２４参照）。実施の形態１の方法でのＤＲＸ期間とは、ＭＢＳＦＮ同期エリア内で全ＭＢＳＦＮエリアのＭＢＭＳサービス送信ＯＦＦとなる。一方、実施の形態３では、ＭＢＳＦＮエリア毎にＤＲＸ期間を設けている、つまりあるＭＢＳＦＮエリア１について見ればＤＲＸ期間１はＭＢＭＳサービスＯＦＦであるが、別のＭＢＳＦＮエリア２についてみればＤＲＸ期間１はＭＢＭＳサービスを行っていても良い。つまり、ＭＢＳＦＮ同期エリア内で全ＭＢＳＦＮエリアのＭＢＭＳサービスをオフにする必要がない。よって実施の形態３は、実施の形態１と比較して無線リソースの有効活用がはかれるという効果を得ることができる。
【０１２２】
変形例１
一方、実施の形態１において移動端末は、ＭＢＳＦＮ同期エリア内で一つのＤＲＸ期間を設けることから、何の制御を付加することなくＭＢＳＦＮ同期エリア内のＭＢＳＦＮエリアからのＭＢＭＳデータを同時に受信可能となる。言い換えれば、各ＭＢＳＦＮエリアからのＭＢＭＳサービスを同時に受信する場合、ＭＢＳＦＮエリアの組み合わせ方法は、移動端末（ユーザ）が自由に選択できる。しかし実施の形態３において、移動端末はＭＢＳＦＮエリアを同時に受信不可能である。具体例を図３２を用いて説明する。ＭＢＳＦＮエリア１からのＭＢＭＳサービスを受信中の移動端末にとってのＤＲＸ期間はＤＲＸ期間１、ＤＲＸ周期はＤＲＸ周期１となる。ＤＲＸ期間１は「６」無線フレームとなる。またＤＲＸ周期１は「９」無線フレームとなる。ＤＲＸ期間が始まるスターティングポイント値１（ＤＲＸ）＝「４」となる。移動端末が実施の形態１のようにＤＲＸ期間１を用いてユニキャスト／ミクスド周波数レイヤのメジャメントを実施する場合、ＤＲＸ期間１と時間的に重複して基地局より送信されているＭＢＳＦＮエリア２およびＭＢＳＦＮエリア３からのＭＢＭＳサービスは受信不可能である。同様にＭＢＳＦＮエリア２からのＭＢＭＳサービスを受信中の移動端末にとって、実施の形態３の方法によりユニキャスト／ミクスド周波数レイヤのメジャメントを実施する場合、ＭＢＳＦＮエリア１およびＭＢＳＦＮエリア３からのＭＢＭＳサービスは受信不可能である。ＭＢＳＦＮエリア３についても同様である。
【０１２３】
ＭＢＳＦＮエリア内で一つのＤＲＸ期間を設けた場合に、各ＭＢＳＦＮエリアからのＭＢＭＳサービスを同時に受信することが出来ないという課題について以下の解決策を開示する。ネットワーク側から移動端末に対して、同時に受信可能なＭＢＳＦＮエリアを通知する。更に同時に受信可能なＭＢＳＦＮエリア毎のＤＲＸ情報を通知する。ＤＲＸ情報の具体例について図３２を用いて説明する。移動端末がＭＢＳＦＮエリア１とＭＢＳＦＮエリア２からのＭＢＭＳサービスを受信する場合のＤＲＸ期間は、ＤＲＸ期間（１＋２）＝［３］となる。またその際のＤＲＸ周期は、ＤＲＸ周期（１＋２）＝［９］となる。更にＤＲＸ期間が始まるスターティングポイント値（１＋２）（ＤＲＸ）は、７ｍｏｄ９＝７  あるいは  １６ｍｏｄ９＝７となり、スターティングポイント値１＋２（ＤＲＸ）＝［７］となる。移動端末がＭＢＳＦＮエリア１とＭＢＳＦＮエリア３からのＭＢＭＳサービスを受信する場合のＤＲＸ期間は、ＤＲＸ期間（１＋３）＝［３］となる。またその際のＤＲＸ周期は、ＤＲＸ周期（１＋３）＝［９］となる。更にＤＲＸ期間が始まるスターティングポイント値（１＋３）（ＤＲＸ）は、４ｍｏｄ９＝４  あるいは  １３ｍｏｄ９＝４となり、スターティングポイント値（１＋３）（ＤＲＸ）＝［４］となる。
【０１２４】
図１９のステップＳＴ１７２９にて移動端末は、ＤＲＸ情報を受信する。図３３にステップＳＴ１７２９にて移動端末が受信するＤＲＸ情報についての具体例についてまとめる。図３３［ａ］は、ＭＢＳＦＮエリア１のＭＣＣＨにマッピングされるＤＲＸ情報の具体例である。図３３［ｂ］は、ＭＢＳＦＮエリア２のＭＣＣＨにマッピングされるＤＲＸ情報の具体例である。図３３［ｃ］は、ＭＢＳＦＮエリア３のＭＣＣＨにマッピングされるＤＲＸ情報の具体例である。ここで、ＤＲＸ期間、ＤＲＸ周期をサブフレーム単位で記しているがサブフレーム単位以外であっても良い。またスターティングポイント値（ＤＲＸ）をＳＦＮ番号で記しているが別の指定方法であってもよい。
【０１２５】
更にＭＢＭＳ送信専用の周波数レイヤのＤＲＸ周期及びＤＲＸ期間の情報をいずれかの経路を通じてユニキャスト／ミクスドレイヤ側の制御装置（基地局、ＭＭＥ、ＰＤＮＧＷなど）に通知せずに、ＭＢＭＳサービスの受信を中断することなく、ネットワーク側から通知されたユニキャスト／ミクスド周波数レイヤのメジャメント周期を満足することが可能とするために本発明では実施の形態１、実施の形態３同様以下の方法を開示する。ＭＢＭＳ送信専用の周波数レイヤにおけるＤＲＸ周期をユニキャスト／ミクスド周波数レイヤでとり得るメジャメント周期の最小値あるいは最小値の約数とする。ＭＢＭＳ送信専用の周波数レイヤにてＭＢＭＳサービスを受信中の移動端末に対して設定可能なメジャメント周期がユニキャスト／ミクスド周波数レイヤで取り得るメジャメント周期と異なる場合は、ＤＲＸ周期は、ＭＢＭＳ送信専用の周波数レイヤにてＭＢＭＳサービスを受信中の移動端末に対して設定可能なメジャメント周期、あるいは前記メジャメント周期の最小値、あるいは前記メジャメント周期の最小値の約数とする。これにより第三の課題を解決することが出来る。
【０１２６】
ネットワーク側から移動端末に対して、同時に受信可能なＭＢＳＦＮエリアの情報を通知することから各ＭＢＳＦＮエリアからのＭＢＭＳサービスを同時に受信することが可能となる。同時に受信可能なＭＢＳＦＮエリアの情報とあわせて、その際のＤＲＸ情報を通知することで、第二の課題および第三の課題を解決することができるという効果を得ることができる。
【０１２７】
本変形例１では同時に受信可能なＭＢＳＦＮエリアの情報、及びその際のＤＲＸ情報をＭＢＳＦＮエリア毎のＭＣＣＨにマッピングする方法を開示した。各ＭＢＳＦＮエリアのＭＣＣＨにマッピングされる同時に受信可能なＭＢＳＦＮエリアの情報及びその際のＤＲＸ情報をＭＢＭＳ送信専用の周波数レイヤのＢＣＣＨにマッピングしても変形例１と同様の効果を得ることが出来る。また、メインＰＭＣＨにマッピングしても変形例１と同様の効果を得ることが出来る。
【０１２８】
変形例２
ＭＢＳＦＮエリア内で一つのＤＲＸ期間を設けた場合に、各ＭＢＳＦＮエリアからのＭＢＭＳサービスを同時に受信することが出来ないという課題について以下の変形例１とは別の解決策を開示する。ネットワーク側から各ＭＢＳＦＮエリアのＤＲＸ情報を通知し、移動端末が同時に受信を希望するＭＢＳＦＮエリアにおけるＤＲＸ情報を計算する。ステップＳＴ１７２９にて移動端末は、ＤＲＸ情報を受信する。図３４は図３２の場合の変形例２におけるネットワーク側から移動端末へ通知される各ＭＢＳＦＮエリアのＭＣＣＨにマッピングされるＤＲＸ情報の具体例である。ＤＲＸ情報の具体例としては、ＭＢＳＦＮエリア毎のＭＢＳＦＮエリア番号（ＩＤ）、サービス内容、ＭＢＳＦＮフレームクラスタ、ＭＢＳＦＮフレームクラスタ  繰り返し周期、ＭＢＳＦＮフレームクラスタのスターティングポイントを通知する。これにより、移動端末においてＤＲＸ情報を計算可能となる効果を得ることが出来る。ここで、ＤＲＸ情報に加えて各ＭＢＳＦＮエリアのサービス内容を通知してもよい。これにより、移動端末は１つのＭＢＳＦＮエリアからのＭＣＣＨを受信・デコードすることでユーザ所望の同時に受信するＭＢＳＦＮエリアを選択することが可能になるという効果を得ることができる。
【０１２９】
ステップＳＴ１７３０にて移動端末は、ユーザ所望の同時に受信するＭＢＳＦＮエリアにおけるＤＲＸ情報を計算する。具体例について図３４を用いて説明する。例えばユーザが「天気予報」と「ニュース」の同時受信を希望した場合、移動端末はＭＢＳＦＮエリア１とＭＢＳＦＮエリア２の同時受信におけるＤＲＸ情報を計算する。ＤＲＸ期間について説明する。ＭＢＳＦＮエリア１とＭＢＳＦＮエリア２を受信するためには、ＭＢＳＦＮエリア１とＭＢＳＦＮエリア２の送信が行われていない期間がＤＲＸ期間（１＋２）となる。図３２および図３４よりＤＲＸ期間（１＋２）＝３となるＤＲＸ周期について説明する。ＭＢＳＦＮエリア１とＭＢＳＦＮエリア２を受信するためには、ＭＢＳＦＮエリア１とＭＢＳＦＮエリア２の送信が行われていない期間の周期がＤＲＸ周期（１＋２）となる。ＤＲＸ周期（１＋２）＝ＭＢＳＦＮフレームクラスタ  繰り返し周期３＝９となる。ＤＲＸのスターティングポイントについて説明する。ＭＢＳＦＮエリア１とＭＢＳＦＮエリア２を受信するためには、ＭＢＳＦＮエリア１とＭＢＳＦＮエリア２の送信が行われていない期間のスターティングポイン値がスターティングポイント（１＋２）（ＤＲＸ）となる。スターティングポイント（１＋２）（ＤＲＸ）＝７となる。
【０１３０】
更にＭＢＭＳ送信専用の周波数レイヤのＤＲＸ周期及びＤＲＸ期間の情報をいずれかの経路を通じてユニキャスト／ミクスドレイヤ側の制御装置（基地局、ＭＭＥ、ＰＤＮＧＷなど）に通知せずに、ＭＢＭＳサービスの受信を中断することなく、ネットワーク側から通知されたユニキャスト／ミクスド周波数レイヤのメジャメント周期を満足することが可能とするために以下の方法を開示する。移動端末は、ＭＢＭＳ送信専用の周波数レイヤにおけるＤＲＸ周期をユニキャスト／ミクスド周波数レイヤでとり得るメジャメント周期の最小値あるいは最小値の約数となるようなＭＢＳＦＮエリアの多重を選択する。言い換えれば、移動端末はＤＲＸ情報を計算し、ＤＲＸ周期が前記の条件を満たさないようなＭＢＳＦＮエリアの組合せを選択しない。ＭＢＭＳ送信専用の周波数レイヤにてＭＢＭＳサービスを受信中の移動端末に対して設定可能なメジャメント周期がユニキャスト／ミクスド周波数レイヤで取り得るメジャメント周期と異なる場合は、ＤＲＸ周期は、ＭＢＭＳ送信専用の周波数レイヤにてＭＢＭＳサービスを受信中の移動端末に対して設定可能なメジャメント周期、あるいは前記メジャメント周期の最小値、あるいは前記メジャメント周期の最小値の約数とする。これにより第三の課題を解決することが出来る。
【０１３１】
本変形例２にて、変形例１と同様の効果を得ることができる。さらには、ＭＢＳＦＮエリアの数をおおく、ＭＢＳＦＮエリアの組み合わせ数が多くなった場合には、変形例１と比較して変形例２ではネットワーク側から移動端末に対して通知する、ＤＲＸ情報量が少なくて済む。これにより無線リソースの有効活用という効果を得ることが出来る。
【０１３２】
本変形例２では同時に受信可能なＭＢＳＦＮエリアの情報、及びその際のＤＲＸ情報をＭＢＳＦＮエリア毎のＭＣＣＨにマッピングする方法を開示した。各ＭＢＳＦＮエリアのＭＣＣＨにマッピングされる同時に受信可能なＭＢＳＦＮエリアの情報及びその際のＤＲＸ情報をＭＢＭＳ送信専用の周波数レイヤのＢＣＣＨにマッピングしても変形例２と同様の効果を得ることが出来る。また、メインＰＭＣＨにマッピングしても変形例２と同様の効果を得ることが出来る。
【０１３３】
本実施の形態３およびその変形例は、実施の形態１およびその変形例、実施の形態２およびその変形例について適用可能である。
【０１３４】
実施の形態４．
発明が解決しようとする第四の課題についてエラー! 参照元が見つかりません。を用いて説明する。非特許文献２のとおり、ＭＢＭＳ／ユニキャスト混合セルにおけるＭＢＳＦＮサブフレームの割り当てについて検討されている。非特許文献１のとおり、サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。また、現在の３ＧＰＰにおいて、混合セルにおいては、ＭＢＳＦＮフレーム（サブフレーム）において、サブフレーム単位において先頭の１〜２ＯＦＤＭシンボル以外は、ユニキャスト送信用に用いてはいけないことが決定されている。つまり先頭の１〜２ＯＦＤＭシンボル以外は、ＭＢＭＳ送信専用のリソースとなる。エラー! 参照元が見つかりません。ではＰＭＣＨと表記している。一方、非特許文献１において、ＰＣＨがＰＤＳＣＨあるいは、ＰＤＣＣＨにマッピングされることが開示されている。また非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。よって、ＰＣＨは、Ｌ１／Ｌ２シグナリングチャネルを用いるため、ＭＢＳＦＮフレームであってもマッピングすることができる。一方、ＭＢＳＦＮフレームにおいては、ＰＣＨにて次の制御情報の下り無線リソースの割当をする場合、同じサブフレーム上の下り無線リソースはＭＢＭＳ送信専用となるため、同じサブフレーム内に制御情報の割当をすることは出来ないという課題が発生する。
【０１３５】
非特許文献３に移動端末へのページング信号送信について以下の記載がある。ページンググループに属するいずれかの移動端末宛のページング信号が発生したことを伝えるＰＩＣＨ（Paging Indicator channel）は、Ｌ１／Ｌ２シグナリングチャネルを用いて送信される。ページング信号が自分宛てのものであるか否かを判断するために移動端末は、ページング信号をデコードする。ＰＣＨはページング信号を１つ以上持つことが可能である。PICHはL1/L2シグナリングチャネルを用いて送信される、つまりサブフレーム単位において先頭の１〜３ＯＦＤＭシンボルに位置づけられる。一方ＰＣＨは、ＰＩＣＨと同じサブフレームにあるＰＤＳＣＨにマッピングされる。非特許文献３のページング信号送信手順においても本発明の解決しようとする第四の課題は発生する。つまりＭＢＭＳ／ユニキャスト混合セルにおいて、ＭＢＳＦＮサブフレームが構成されている場合、ＭＢＳＦＮサブフレームの先頭の１〜２ＯＦＤＭシンボルにてＰＩＣＨを送信したとしても、ＰＩＣＨと同じサブフレームはＭＢＭＳ送信専用のリソースである。そのため、ページング信号が自分宛てのものであるか否かを判断するためのページング信号をマッピングするＰＣＨを送信することは出来ない。また、非特許文献３には本発明の解決しようとする第四の課題についての示唆もない。
【０１３６】
非特許文献４にページングがおこる時（ページングアケージョン（ページングオケージョン）:Paging occasion）を求める式について以下の記載がある。ページングアケージョンを求めるためには、ページングインターバル（本発明における混合周波数レイヤにおける間欠受信周期にあたる）とページングインターバル中でのページングアケージョンの数の２つのパラメータが必要であり、他に必要なパラメータはないと記載されている。更にページングアケージョンが発生する無線フレーム中のサブフレームは、固定値とすると記載されている。しかし非特許文献４にはページング信号がマッピングされるページングアケージョンの無線フレーム中のサブフレームについての決定方法についての記載はない。また、非特許文献４にはページングアケージョンの無線フレーム中のサブフレームとMBSFNサブフレームとの関係についての記載はなく、本発明の解決しようとする第四の課題についての示唆もない。
【０１３７】
ＭＢＳＦＮサブフレームの先頭の1〜２ＯＦＤＭシンボル以外はＭＢＭＳ送信専用のリソースとなる。ページングアケージョンの無線フレーム中のサブフレームがＭＢＳＦＮサブフレームの割当と重なった場合、先頭の１〜２ＯＦＤＭシンボル以外は、ＭＢＭＳ送信専用のリソースとなりページング処理に用いることはできない。従来のページング処理方法ではＭＢＳＦＮサブフレームについて全く考慮していないため、ＭＢＭＳ／ユニキャスト混合セルでのページング処理に適用することは不可能となる問題が生じる。この問題を解決するため、本実施の形態４では、ＭＢＳＦＮサブフレームを考慮した、ページングアケージョンの無線フレームの決定方法について開示する。
【０１３８】
ＭＢＳＦＮサブフレームの先頭の1〜２ＯＦＤＭシンボル以外はＭＢＭＳ送信専用のリソースとなる。ページングアケージョンの無線フレーム中のサブフレームがＭＢＳＦＮサブフレームの割当と重なった場合、先頭の１〜２ＯＦＤＭシンボル以外は、ＭＢＭＳ送信専用のリソースとなりページング処理に用いることはできない。従来のページング処理方法ではＭＢＳＦＮサブフレームについて全く考慮していないため、ＭＢＭＳ／ユニキャスト混合セルでのページング処理に適用することは不可能となる問題が生じる。この問題を解決するため、本実施の形態４では、ＭＢＳＦＮサブフレームを考慮した、ページングアケージョンの無線フレームの決定方法について開示する。
【０１３９】
ＭＢＳＦＮサブフレームの構成は、図３に示したように、ＭＢＳＦＮフレーム（MBSFN frame）毎にＭＢＳＦＮサブフレームを割り当てる。ＭＢＳＦＮフレームの集合の繰り返し周期（Repetition Period）を設け、該繰返し周期内で、ＭＢＳＦＮフレームの集合（MBSFN frame Cluster）をスケジュールする。各ＭＢＳＦＮフレームに割当てられるＭＢＳＦＮサブフレームは同じであっても良いし異なっていても良い。ＭＢＳＦＮフレームの集合によって、繰り返し周期（Repetition Period）内のＭＢＳＦＮサブフレームの割り当てパターンが決定される。該ＭＢＳＦＮサブフレームの割当てパターンは該繰返し周期毎に繰り返される。図では、ＭＢＳＦＮフレーム内のＭＢＳＦＮサブフレームの割り当てパターンを同一にしているが、こうすることによって、ＭＢＳＦＮサブフレームのサブフレーム番号を表すのに必要なbit数が、同一でない場合に比べてすくなくすることができる。また、図ではＭＢＳＦＮフレームを連続としているが、特に連続である必要はない。連続の場合、ＭＢＳＦＮフレームのフレーム番号を表すのに必要なビット数が、連続でない場合に比べて少なくすることができる。
【０１４０】
ＭＢＳＦＮフレームの集合の繰返し周期、ＭＢＳＦＮフレームやＭＢＳＦＮサブフレームの該繰返し周期内の割当てパターンは、ロジカルチャネルである報知制御チャネル（BCCH）にマッピングされ、さらにトランスポートチャネルである報知チャネル（BCH）、物理チャネルである物理報知チャネル（PBCH）にマッピングされて移動端末に通知される。また、自セル情報は、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされて移動端末に通知される。一方、ページングアケージョンの無線フレームの決定方法として以下の算出式が考えられる。
「ページング発生無線フレーム」（Paging Occasion）=移動端末の識別子（IMSIなど）ｍｏｄ  Ｘ  ＋ｎ×（間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。Ｘは間欠受信周期内でページングが発生する無線フレームの数で、Ｘ≦間欠受信周期(無線フレーム数)である。なお、Ｘの値（Ｘでの剰余値）と、無線フレームナンバ（SFN）を関係付けておく。
【０１４１】
上記の式からわかるように、間欠受信周期内で、ページング発生無線フレーム数Ｘに関係付けられた無線フレームにおいて、ページングアケージョンが発生することになる。いいかえると、ページングアケージョンの発生は、該Ｘに関係付けられた無線フレームのパターンで、間欠周期毎に繰り返されることになる。ページングアケージョンを導出するために必要なパラメータ、移動端末の識別子、間欠受信周期、Ｘ等は、ロジカルチャネルである報知制御チャネル（BCCH）にマッピングされ、さらにトランスポートチャネルである報知チャネル（BCH）、物理チャネルである物理報知チャネル（PBCH）にマッピングされて移動端末に通知される。また、自セル情報は、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされて移動端末に通知される。
【０１４２】
前述したように、ＭＢＳＦＮサブフレームの先頭の1〜２OFDMシンボル以外はMBMS送信専用のリソースとなるため、ＭＢＳＦＮサブフレームをページング処理に用いることはできない。従って、従来のページング処理方法ではＭＢＳＦＮサブフレームについて全く考慮していないため、ＭＢＭＳ/ユニキャスト混合セルでのページング処理に適用することは不可能となる問題が生じる。この問題を解決するため、ここでは、ＭＢＳＦＮフレームとページングアケージョンが発生するフレームが常に同一の無線フレームとなるのを避ける方法を開示する。具体的には、ＭＢＳＦＮフレームの集合の繰り返し周期（Repetition Period）と、間欠受信周期を異にする。特に、ＭＢＳＦＮフレームの集合の繰返し周期と間欠受信周期を同じにしない、あるいは、倍数関係にしないようにする。
【０１４３】
一例を下記に示す。従来、間欠受信周期として、２a×無線フレーム（単位は、数あるいは時間）、aは正の整数、が用いられる。aの値は、基地局またはネットワークによって決定され移動端末にサービングセルを通して通知される。
この場合、ＭＢＳＦＮフレームの集合の繰り返し周期（Repetition Period）を以下の導出式にする。
２b×無線フレーム（単位は、数あるいは時間）、ｂは正の整数。
ただし、ａ≠ｂ。
こうすることで、各周期が同じになることは無く、もし、最初に割当てられる初期無線フレーム番号（オフセット値）が同じ場合にも、常に同一の無線フレームでＭＢＳＦＮフレームとページングアケージョンの発生が生じることを避けることができる。
これにより、ＭＢＳＦＮサブフレームの存在するＭＢＭＳ/ユニキャスト混合セルでのページング処理を可能にすることができる。上記例では、ＭＢＳＦＮフレームとページングアケージョンの発生が、常に同一の無線フレームで生じることを避けることができる。しかし、両周期の導出式を、２m×無線フレーム（ｍ＝ａ、ｂ）としているため、各周期が倍数関係になってしまい、何回かに一度同一の無線フレームで、ＭＢＳＦＮフレームとページングアケージョンの発生が生じることになってしまう。
【０１４４】
これを避けるため、他の例として、各周期の導出式を以下のようにしても良い。
Sm×無線フレーム（単位は、数あるいは時間）、Sは素数、ｍは正の整数。
ＭＢＳＦＮフレームの集合の繰り返し周期と間欠受信周期とで、異なるＳの値を用いるようにする。Ｓは素数なので、各周期に異なるＳの値を用いることによって、ＭＢＳＦＮフレームとページングアケージョンの発生が、同一の無線フレームで生じることを避けることができる。従って、ＭＢＳＦＮフレームとページングアケージョンが発生するフレームが同一となる頻度をさらに低くすることが可能となる。
【０１４５】
もし、同一の無線フレームでＭＢＳＦＮフレームとページングアケージョンの発生が生じた場合は、基地局あるいはネットワークは、その無線フレームはＭＢＳＦＮフレームをページングアケージョンより優先し、ＭＢＭＳ用の情報の通信を優先して送信するようにする。この優先順位をあらかじめ決めておくことで、移動端末においても、同時に発生する無線フレームにおいてどちらの情報が送信されるかがわかることになり、受信、デコードすることが可能となる。優先順位はＭＢＳＦＮフレームとページングアケージョンのどちらが高くても良い。ＭＢＳＦＮフレームの優先順位を高くする場合は、ＭＢＭＳデータの欠落、遅延無しにＭＢＭＳサービスを受信することが可能となる。ページングアケージョンの優先順位を高くする場合は、移動端末への着信処理に有する時間が短縮可能となり、着信時の遅延時間を低減させることが可能となる。
【０１４６】
これらの例における各周期の導出式は静的に決められておくと良い。導出式をあらかじめ２種類以上用意しておき、どれを選ぶかを決めておいても良い。また、どの導出式を選ぶかをパラメータとしても良い。導出式に用いられるパラメータは、静的に決められても良いし、準静的、あるいは動的に決められても良い。準静的、あるいは動的に決められる場合、各パラメータは、基地局またはネットワークによって決定され、ＢＣＣＨやＭＣＣＨ、あるいはＬ１／Ｌ２シグナリングによって移動端末にサービングセルを通して通知される。どの導出式を用いるかのパラメータについては、導出式をあらかじめ２種類としておくことで、該パラメータを1bitで通知することができ、最小の情報量で基地局あるいはネットワークから移動端末へ通知することができ、無線リソースの使用効率が増大する。
【０１４７】
エラー! 参照元が見つかりません。に、ＭＢＳＦＮサブフレームの割当て情報の通知およびページング信号がマッピングされるページングアケージョンの導出を行う場合のシーケンス図の具体例を示す。ステップＳＴ4001にてサービングセルは、自セルのシステム情報を傘下の移動端末へ通知する。通知されるシステム情報の具体例としては、メジャメント周期、トラッキングエリア情報（TA情報）、間欠受信周期がある。自セルのシステム情報には、間欠受信用パラメータを含むものとする。間欠受信周期は、上記に開示したページングアケージョン発生無線フレームの決定方法によって、該間欠受信用パラメータを用いて導出される。間欠受信用パラメータの具体例としては、間欠受信周期導出用のパラメータである、a、ｍ、S、どの導出式を用いるかの情報などや、間欠受信周期中のページングアケージョンの数（Ｘ）（あるいは、ページンググループ数）、Ｘの値（Ｘでの剰余値）と無線フレームナンバ（SFN）の関係などがある。間欠受信周期の表し方の具体例としては無線フレーム数などがある。ステップＳＴ4002にて移動端末は、サービングセルから自セルのシステム情報を受信する。ステップＳＴ4501にてサービングセルは、MBSFNサブフレームの割り当て情報を送信する。ＭＢＳＦＮサブフレームの割当てに関する現在の３ＧＰＰでは、以下のようなことが議論されている。ＭＢＳＦＮサブフレーム中のレファレンスシグナルとＭＢＳＦＮサブフレームではないサブフレームのレファレンスシグナルの無線リソースとしてのマッピング位置が異なる。よってより正確なレファレンスシグナルを用いた測定を行うためには、ＭＢＭＳサービスを受信する能力のない移動端末であってもサービングセルのMBSFNサブフレームの割り当て情報を把握する必要があるという議論がされている（非特許文献２）。ＭＢＳＦＮサブフレームの割り当て情報の具体例としては、ＭＢＳＦＮフレームの集合の繰り返し周期導出用パラメータ、該周期内のＭＢＳＦＮサブフレーム割当てパターンが考えられる。ＭＢＳＦＮフレームの集合の繰り返し周期は、上記に開示したＭＢＳＦＮフレームの集合の繰り返し周期決定方法によって、該ＭＢＳＦＮフレームの集合の繰り返し周期導出用パラメータを用いて導出される。ＭＢＳＦＮフレームの集合の繰り返し周期導出用パラメータの具体例としては、該繰返し周期導出用のパラメータである、ｂ、ｍ、S、どの導出式を用いるかの情報などがある。該周期内のＭＢＳＦＮサブフレーム割当てパターンの具体例としては、該繰返し周期内のＭＢＳＦＮフレームナンバ、または／かつＭＢＳＦＮサブフレームナンバがある。ステップＳＴ4502にて移動端末は、サービングセルからＭＢＳＦＮサブフレームの割り当て情報を受信する。ステップＳＴ4503にて移動端末は、ページングアケージョンを求める。ステップＳＴ4503、4504にて移動端末とサービングセルは、移動体通信システムとして同じ方法を用いてページングアケージョンの無線フレームを求める。ステップＳＴ4505にて移動端末は、ページングアケージョンの無線フレーム中のサブフレームを求める。ステップＳＴ4506にてサービングセルは、移動体通信システムとして移動端末と同じ方法を用いてページングアケージョンの無線フレーム中のサブフレ���ムを求める。
【０１４８】
本実施の形態４で開示したように、ＭＢＳＦＮフレームとページングアケージョンが発生するフレームが常に同一の無線フレームとならないようにすることによって、本発明の第四の課題を解決することができ、ＭＢＳＦＮサブフレームの存在するＭＢＭＳ／ユニキャスト混合セルでのページング処理を可能にすることができる。
【０１４９】
変形例１
実施の形態４では、ＭＢＳＦＮフレームの集合の繰り返し周期とページングアケージョンにおける間欠受信周期を異にするようにしたが、ＭＢＳＦＮフレームの集合の繰り返し周期内のＭＢＳＦＮフレームのパターンと、間欠受信周期内のページングアケージョンの無線フレームの発生パターンが、同一にならないようにしても良い。例えば、ＭＢＳＦＮフレームの集合の繰り返し周期を３２無線フレームとする。該繰返し周期内のＭＢＳＦＮフレームを＃０〜＃７（繰返し周期内最初の無線フレームを＃０とする）とする。この場合、例えば、上記のページングオケージョンの導出式を用いて、間欠受信周期を３２無線フレーム、ページング発生無線フレーム数Ｘを４、かつ、Ｘでの剰余値と無線フレームナンバの関係を、以下のようにしておく。
Ｘの剰余値＝０  のとき  無線フレームナンバ  ＃８、    
Ｘの剰余値＝１  のとき  無線フレームナンバ  ＃１４、    
Ｘの剰余値＝２  のとき  無線フレームナンバ  ＃２０、    
Ｘの剰余値＝３  のとき  無線フレームナンバ  ＃２６。
ただし、無線フレームナンバは、間欠受信周期内最初の無線フレームを＃０とする。
このように対応付けることで、ＭＢＳＦＮフレームの集合の繰り返し周期内のＭＢＳＦＮフレームのパターンと、間欠受信周期内のページングアケージョンの無線フレームの発生パターンが、同一にならないようにできる。従って、たとえ、ＭＢＳＦＮフレームの集合の繰り返し周期とページングアケージョンにおける間欠受信周期が同じであったとしても、該周期内のパターンが各々異なるため、ＭＢＳＦＮフレームとページングアケージョンの発生が、常に同一の無線フレームで生じることを避けることができる。
本変形例では、ＭＢＳＦＮフレームをもとにページングオケージョンの発生無線フレームを決めているが、逆に、ページングオケージョンの発生無線フレームをもとにＭＢＳＦＮフレームを決めても良い。例えば、ページングオケージョンの発生無線フレームを静的に決めておき、ＭＢＳＦＮフレームを準静的あるいは動的に決める場合は、間欠受信周期内のページングオケージョンの発生無線フレームと異なる無線フレームをＭＢＳＦＮフレームとするようにすれば良い。こうすることによって、例えば、ＭＢＭＳのデータ量に応じて柔軟にＭＢＳＦＮサブフレームを決定することが可能となり、無線リソースの使用効率を増大させることが可能となる。このページングオケージョンの発生無線フレームを静的に決めておき、ＭＢＳＦＮフレームを準静的あるいは動的に決める方法は、実施の形態４においても、あるいは変形例２においても適用可能である。また、本変形例におけるパラメータの通知方法は実施の形態４で述べた方法が適用可能である。
【０１５０】
本変形例１の方法を用いることによって、実施の形態４の効果に加えて、ＭＢＳＦＮフレームの集合の繰り返し周期と間欠受信周期が同じであっても良いという、効果が得られる。ＭＢＳＦＮフレームの集合の繰り返し周期と間欠受信周期を同じにすることで、基地局あるいはネットワークから移動端末に通知するパラメータが少なくてすみ、無線リソースの使用効率を増大させることができる。
【０１５１】
上記例では、ＭＢＳＦＮフレームの集合の繰り返し周期内のＭＢＳＦＮフレームのパターンを用いたが、繰り返し周期（Repetition Period）内のＭＢＳＦＮサブフレームの割り当てパターンであっても良い。この場合、該ＭＢＳＦＮサブフレームが含まれるＭＢＳＦＮフレームを、ＭＢＳＦＮフレームの集合の繰り返し周期内のＭＢＳＦＮフレームのパターンとすれば良い。これにより同等の効果が得られる。
【図面の簡単な説明】
【０１５２】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】ＭＢＳＦＮ同期エリアとＭＢＳＦＮエリアの関係を説明する説明図である。
【図８】Ｅ−ＭＢＭＳの論理構造（Logical Architecture）を説明する説明図である。
【図９】Ｅ−ＭＢＭＳのアーキテクチャ（Architecture）を説明する説明図である。
【図１０】本発明に係る移動体通信システムの全体的な構成を示すブロック図である。
【図１１】移動端末の構成を示すブロック図である。
【図１２】基地局の構成を示すブロック図である。
【図１３】ＭＭＥ（Mobility Management Entity）の構成を示すブロック図である。
【図１４】ＭＣＥ（Multi-cell/multicast Coordination Entity）の構成を示すブロック図である。
【図１５】ＭＢＭＳゲートウェイの構成を示すブロック図である。
【図１６】ＬＴＥ方式の通信システムにおいて移動端末がＭＢＭＳの利用開始及び利用修了までの処理の概略を示すフローチャートである。
【図１７】ユニキャスト側セル選択の処理方法を示すフローチャートである。
【図１８】ＭＢＭＳサーチ処理を示すフローチャートである。
【図１９】ＭＢＭＳサービス選択処理を示すフローチャートである。
【図２０】ユニキャスト側メジャメント処理を示すフローチャートである。
【図２１】ＭＴＣＨ受信処理を示すフローチャートである。
【図２２】ＭＢＳＦＮエリア毎のＰＭＣＨの構成を示す説明図である。
【図２３】ＭＢＳＦＮエリア毎のＰＭＣＨの構成を示す説明図である。
【図２４】移動端末へのＭＢＭＳデータの送信が停止され、移動端末でのＭＢＭＳデータの受信動作が停止する間欠受信期間と、間欠受信を行う周期である間欠受信周期の関係を示す説明図である。
【図２５】ＭＢＳＦＮエリア毎のＰＭＣＨの構成を示す説明図である。
【図２６】実施の形態２で説明するＭＢＭＳのサーチ方法を示すフローチャートである。
【図２７】ＭＢＳＦＮ同期エリア内のメインＰＭＣＨの構成を示す説明図である。
【図２８】ＭＢＳＦＮ同期エリアのメインＰＭＣＨの構成を示す説明図である。
【図２９】実施の形態２で説明するＭＢＭＳのサーチ方法を示すフローチャートである。
【図３０】ＭＢＳＦＮエリア毎のＰＭＣＨの構成を示す説明図である。
【図３１】ＭＢＳＦＮエリア毎のＰＭＣＨの構成を示す説明図である。
【図３２】ＭＢＳＦＮエリア毎のＰＭＣＨの構成を示す説明図である。
【図３３】間欠受信情報の一例を示す説明図である。
【図３４】間欠受信情報の一例を示す説明図である。
【図３５】ＭＢＳＦＮ同期エリアを構成する複数のＭＢＳＦＮエリアを示す説明図であって、複数のＭＢＳＦＮエリアをカバーするＭＢＳＦＮエリアを示す説明図である。
【図３６】第四の課題の説明図である。
【図３７】ＭＢＳＦＮサブフレームの割当て情報の通知およびページング信号がマッピングされるページングアケージョンの導出を行う場合のシーケンス図である。
【符号の説明】
【０１５３】
１０１  移動端末、１０２  基地局、
１０３  ＭＭＥ（Mobility Management Entity）、
１０４  Ｓ−ＧＷ（Serving Gateway）
【図１】
2009188612.tif 000003
【図２】
2009188612.tif 000004
【図３】
2009188612.tif 000005
【図４】
2009188612.tif 000006
【図５】
2009188612.tif 000007
【図６】
2009188612.tif 000008
【図７】
2009188612.tif 000009
【図８】
2009188612.tif 000010
【図９】
2009188612.tif 000011
【図１０】
2009188612.tif 000012
【図１１】
2009188612.tif 000013
【図１２】
2009188612.tif 000014
【図１３】
2009188612.tif 000015
【図１４】
2009188612.tif 000016
【図１５】
2009188612.tif 000017
【図１６】
2009188612.tif 000018
【図１７】
2009188612.tif 000019
【図１８】
2009188612.tif 000020
【図１９】
2009188612.tif 000021
【図２０】
2009188612.tif 000022
【図２１】
2009188612.tif 000023
【図２２】
2009188612.tif 000024
【図２３】
2009188612.tif 000025
【図２４】
2009188612.tif 000026
【図２５】
2009188612.tif 000027
【図２６】
2009188612.tif 000028
【図２７】
2009188612.tif 000029
【図２８】
2009188612.tif 000030
【図２９】
2009188612.tif 000031
【図３０】
2009188612.tif 000032
【図３１】
2009188612.tif 000033
【図３２】
2009188612.tif 000034
【図３３】
2009188612.tif 000035
【図３４】
2009188612.tif 000036
【図３５】
2009188612.tif 000037
【図３６】
2009188612.tif 000038
【図３７】
2009188612.tif 000039